(57)【要約】  二重封じ込め継手は、一次配管と、二次配管と、二重封じ込め本体とを含むことができる。二次配管は、一次配管の第１の部分を取り囲み、これと同心であり得、一次配管と二次配管との間に第１の漏れ封じ込め空間が形成される。二重封じ込め本体は、フレア継手部分と、一次封じ込めナット部分とを含むことができる。フレア継手部分は、一次配管を取り囲み、これと同心であり得、一次配管とフレア継手部分との間に第２の漏れ封じ込め空間が形成される。一次封じ込めナット部分は、一次配管の張り出し端部を取り囲み、これと同心であり得、一次配管と一次封じ込めナット部分との間に第３の漏れ封じ込め空間が形成される。一次封じ込めナット部分は、第３の漏れ封じ込め空間を第２の漏れ封じ込め空間と接続する少なくとも１つの漏れ通路穴を含むことができる。
2021508020.tif 000002
【特許請求の範囲】
【請求項１】
二重封じ込め継手であって、
張り出し端部を有する一次配管と、
張り出し端部を有する二次配管であり、前記二次配管は、前記一次配管の第１の部分を取り囲み、前記一次配管の前記第１の部分と同心であり、前記一次配管と前記二次配管との間に第１の漏れ封じ込め空間が形成される、二次配管と、
二重封じ込め本体であり、フレア継手部分と、一次封じ込めナット部分と、前記二重封じ込め本体を貫通する孔とを備え、
前記フレア継手部分は、前記一次配管の第２の部分を取り囲み、前記一次配管の前記第２の部分と同心であり、前記一次配管と前記フレア継手部分との間に第２の漏れ封じ込め空間が形成され、
前記フレア継手部分は、前記二次配管の前記張り出し端部と圧入係合し、前記第１の漏れ封じ込め空間を前記第２の漏れ封じ込め空間と接続し、
前記一次封じ込めナット部分は、前記一次配管の前記張り出し端部を取り囲み、前記一次配管の前記張り出し端部と同心であり、前記一次配管と前記一次封じ込めナット部分との間に第３の漏れ封じ込め空間が形成され、
前記一次封じ込めナット部分は、前記第３の漏れ封じ込め空間を前記第２の漏れ封じ込め空間と接続する少なくとも１つの漏れ通路穴を備える、二重封じ込め本体と
を備える、二重封じ込め継手。
【請求項２】
二重封じ込め継手アセンブリであって、
張り出し端部を有する一次配管と、
張り出し端部を有する二次配管であり、前記二次配管は、前記一次配管の第１の部分を取り囲み、前記一次配管の前記第１の部分と同心であり、前記一次配管と前記二次配管との間に第１の漏れ封じ込め空間が形成される、二次配管と、
二重封じ込め本体であり、フレア継手部分と、一次封じ込めナット部分と、前記二重封じ込め本体を貫通する孔とを備え、
前記フレア継手部分は、前記一次配管の第２の部分を取り囲み、前記一次配管の前記第２の部分と同心であり、前記一次配管と前記フレア継手部分との間に第２の漏れ封じ込め空間が形成され、
前記フレア継手部分は、前記二次配管の前記張り出し端部と圧入係合し、前記第１の漏れ封じ込め空間を前記第２の漏れ封じ込め空間と接続し、
前記一次封じ込めナット部分は、前記一次配管の前記張り出し端部を取り囲み、前記一次配管の前記張り出し端部と同心であり、前記一次配管と前記一次封じ込めナット部分との間に第３の漏れ封じ込め空間が形成され、
前記一次封じ込めナット部分は、前記第３の漏れ封じ込め空間を前記第２の漏れ封じ込め空間と接続する少なくとも１つの漏れ通路穴を備える、二重封じ込め本体と、
弁アセンブリ環状継手本体であり、第１の端部と、第２の端部と、前記弁アセンブリ環状継手本体を貫通する孔とを備え、
前記環状継手本体の前記第１の端部は、前記一次配管の前記張り出し端部が前記環状継手本体の前記第１の端部内に圧入係合するように、前記二重封じ込め本体の前記一次封じ込めナット部分にねじ止め可能に係合される、弁アセンブリ環状継手本体と
を備える、二重封じ込め継手アセンブリ。
【請求項３】
前記一次配管、前記二次配管又は前記二重封じ込め本体はポリマー材料を含む、請求項１又は２に記載の二重封じ込め継手又は二重封じ込め継手アセンブリ。
【請求項４】
前記一次配管、前記二次配管又は前記二重封じ込め本体はペルフルオロアルコキシ（ＰＦＡ）を含む、請求項３に記載の二重封じ込め継手又は二重封じ込め継手アセンブリ。
【請求項５】
前記一次配管、前記二次配管及び前記二重封じ込め本体はペルフルオロアルコキシ（ＰＦＡ）を含む、請求項３に記載の二重封じ込め継手又は二重封じ込め継手アセンブリ。
【請求項６】
前記一次封じ込めナット部分はポリマー材料を含む、請求項１又は２に記載の二重封じ込め継手又は二重封じ込め継手アセンブリ。
【請求項７】
前記ポリマー材料はペルフルオロアルコキシ（ＰＦＡ）を含む、請求項６に記載の二重封じ込め継手又は二重封じ込め継手アセンブリ。
【請求項８】
前記一次封じ込めナット部分は、少なくとも約１ｍｍ且つ約５．０ｍｍ以下の厚さを有する外壁を備える、請求項１又は２に記載の二重封じ込め継手又は二重封じ込め継手アセンブリ。
【請求項９】
前記一次封じ込めナット部分は外壁を備え、前記少なくとも１つの漏れ通路穴が、前記一次封じ込めナット部分の前記外壁内に配置されている、請求項１又は２に記載の二重封じ込め継手又は二重封じ込め継手アセンブリ。
【請求項１０】
前記一次封じ込めナット部分は、前記一次封じ込めナットの前記外壁内に配置されている少なくとも２つの漏れ通路穴を備える、請求項９に記載の二重封じ込め継手又は二重封じ込め継手アセンブリ。
【請求項１１】
前記漏れ通路穴の各々は、前記一次封じ込めナット部分の前記外壁の周りに等間隔に離間されている、請求項１０に記載の二重封じ込め継手又は二重封じ込め継手アセンブリ。
【請求項１２】
前記漏れ通路穴の各々は、一方向流体流向けに構成されている、請求項１０に記載の二重封じ込め継手又は二重封じ込め継手アセンブリ。
【請求項１３】
前記漏れ通路穴の各々は、前記第３の漏れ封じ込め空間から前記第２の漏れ封じ込め空間への流れを可能にするように構成されている、請求項１２に記載の二重封じ込め継手又は二重封じ込め継手アセンブリ。
【請求項１４】
前記一次封じ込めナット部分は外壁を備え、前記少なくとも１つの漏れ通路穴が、前記一次封じ込めナット部分の前記外壁を通過する、請求項１又は２に記載の二重封じ込め継手又は二重封じ込め継手アセンブリ。
【請求項１５】
前記少なくとも１つの漏れ通路穴は、少なくとも約０．５ｍｍ且つ約２．０ｍｍ以下の内径を含む、請求項１又は２に記載の二重封じ込め継手又は二重封じ込め継手アセンブリ。
【発明の詳細な説明】
【技術分野】
【０００１】
本開示は、概して二重封じ込め継手に関する。より詳細には、本開示は、二重封じ込め継手アセンブリ内で二次流体移送構成要素に配管を接続するための二重封じ込め継手に関する。
【背景技術】
【０００２】
二重封じ込め継手アセンブリは、ねじ付き又は非ねじ付き配管を、他の配管又は弁アセンブリのような、二次構成要素に接続するように設計される。そのようなアセンブリを使用することによって、外側配管が内側配管からのいかなる流体の漏れも封じ込めるような構成における、同心の内側及び外側プラスチック管の接続を容易にすることができる。そのような二重継手アセンブリは内側配管自体からの漏れの問題を低減するが、腐食性の化学薬品の攻撃的な性質、及び、半導体製造産業において使用される工程条件に照らして、配管と二次構成要素との間の接続部周りの可能な漏れに備えて追加の封じ込めオプションが開発されることが望ましい。それゆえ、配管と二次構成要素との間の交差部周りに追加の漏れ保護を提供するために、引き続き、改善された継手アセンブリが開発され続けることが望ましい。
【発明の概要】
【課題を解決するための手段】
【０００３】
一態様によれば、二重封じ込め継手は、張り出し端部を有する一次配管と、張り出し端部を有する二次配管と、二重封じ込め本体とを含むことができる。二次配管は、一次配管の第１の部分を取り囲み、これと同心であり得、一次配管と二次配管との間に第１の漏れ封じ込め空間が形成される。二重封じ込め本体は、フレア継手部分と、一次封じ込めナット部分と、二重封じ込め本体を貫通する孔とを含むことができる。フレア継手部分は、一次配管の第２の部分を取り囲み、これと同心であり得、一次配管とフレア継手部分との間に第２の漏れ封じ込め空間が形成される。フレア継手部分は、二次配管の張り出し端部と圧入係合することができ、第１の漏れ封じ込め空間を第２の漏れ封じ込め空間と接続する。一次封じ込めナット部分は、一次配管の張り出し端部を取り囲み、これと同心であり得、一次配管と一次封じ込めナット部分との間に第３の漏れ封じ込め空間が形成される。一次封じ込めナット部分は、第３の漏れ封じ込め空間を第２の漏れ封じ込め空間と接続する少なくとも１つの漏れ通路穴を含むことができる。
【０００４】
さらに別の態様によれば、二重封じ込め継手アセンブリは、張り出し端部を有する一次配管と、張り出し端部を有する二次配管と、二重封じ込め本体と、弁アセンブリ環状継手本体とを含むことができる。二次配管は、二次配管は、一次配管の第１の部分を取り囲み、これと同心であり得、一次配管と二次配管との間に第１の漏れ封じ込め空間が形成される。二重封じ込め本体は、フレア継手部分と、一次封じ込めナット部分と、当該ナット部分を貫通する孔とを含むことができる。フレア継手部分は、一次配管の第２の部分を取り囲み、これと同心であり得、一次配管とフレア継手部分との間に第２の漏れ封じ込め空間が形成される。フレア継手部分は、二次配管の張り出し端部と圧入係合することができ、第１の漏れ封じ込め空間を第２の漏れ封じ込め空間と接続する。一次封じ込めナット部分は、一次配管の張り出し端部を取り囲み、これと同心であり得、一次配管と一次封じ込めナット部分との間に第３の漏れ封じ込め空間が形成される。一次封じ込めナット部分は、第３の漏れ封じ込め空間を第２の漏れ封じ込め空間と接続する少なくとも１つの漏れ通路穴を含むことができる。弁アセンブリ環状継手本体は、第１の端部と、第２の端部と、弁アセンブリ環状継手本体を貫通する孔とを含むことができる。環状継手本体の第１の端部は、一次配管の張り出し端部が環状継手本体の第１の端部内に圧入係合するように、二重封じ込め本体の一次封じ込めナット部分にねじ止め可能に係合することができる。
【０００５】
限定ではなく実例として、添付の図面によって、実施例が示されている。
【図面の簡単な説明】
【０００６】
【図１】本明細書において説明されている特定の実施例による二重封じ込め継手アセンブリの斜視図である。
【図２】本明細書において説明されている特定の実施例による二重封じ込め継手アセンブリの斜視図である。
【図３】図１に示す二重封じ込め継手アセンブリの二重封じ込め本体の一次封じ込めナット部分の様々なビューのうちの１つを示す図である。
【図４】図１に示す二重封じ込め継手アセンブリの二重封じ込め本体の一次封じ込めナット部分の様々なビューのうちの１つを示す図である。
【図５】図１に示す二重封じ込め継手アセンブリの二重封じ込め本体の一次封じ込めナット部分の様々なビューのうちの１つを示す図である。
【図６】二重封じ込め継手アセンブリの二重封じ込め本体の図である。
【発明を実施するための形態】
【０００７】
図面内の要素は単純且つ明瞭にするために示されており、必ずしも原寸に比例して描かれているとは限らないことが、当業者には諒解される。
【０００８】
以下の論述は、本教示の特定の実施態様及び実施例に焦点を当てる。詳細な説明は、特定の実施例を説明するのを支援するために与えられ、本開示又は教示の適用可能な範囲を限定するものとして解釈されるべきではない。本明細書において与えられるような本開示及び教示に基づく他の実施例を使用することができることが諒解されよう。
【０００９】
「備える（ｃｏｍｐｒｉｓｅｓ）」、「備えている（ｃｏｍｐｒｉｓｉｎｇ）」、「含む（ｉｎｃｌｕｄｅｓ）」、「含んでいる（ｉｎｃｌｕｄｉｎｇ）」、「有する（ｈａｓ）」、「有している（ｈａｖｉｎｇ）」という用語又はそれらの任意の他の変化形は、非排他的な包含をカバーするように意図されている。例えば、特徴のリストを方法、製品、又は装置は必ずしも、それらの特徴のみには限定されず、明示的にリストされていない、又は、そのような方法、製品、又は装置に内在する他の特徴を含んでもよい。さらに、逆のことが明示的に述べられていない限り、「又は」は、包含的ｏｒを指し、排他的ｏｒではない。例えば、条件Ａ又はＢは、Ａが真であり（又は存在し）且つＢが偽である（又は存在しない）、Ａが偽であり（又は存在せず）且つＢが真である（又は存在する）、及び、ＡとＢの両方が真である（又は存在する）、のうちのいずれか１つによって満たされる。
【００１０】
また、「ａ」又は「ａｎ」の使用が、本明細書において説明されている要素及び構成要素を説明するために利用される。これは、単に便宜上のものとして、本発明の全般的な意味を与えるために行われている。この記載は、それが他の様態で意図されていることが明白でない限り、複数形をも含むものとしての１つ、少なくとも１つ、又は単数形を含むものとして読まれるべきである。例えば、本明細書において単数の項目が記載されている場合、単数の項目の代わりに２つ以上の項目が使用されてもよい。同様に、本明細書において２つ以上の項目が記載されている場合、単数の項目がその２つ以上の項目に置き換えられてもよい。
【００１１】
本明細書において説明されている実施例は、一般的に、配管又は配管に類する構成要素を、弁アセンブリ又は別の配管に類する構成要素に接続するための二重封じ込め継手を対象とする。二重封じ込め継手は、接続部が、一次配管、及び、配管構成要素と弁アセンブリ又は追加の配管構成要素との間の交差部を取り囲む漏れ封じ込め空間を含むように構成される。特定の実施例によれば、一次配管と、二次配管と、二重封じ込め本体とを含むことができる二重封じ込め継手。また他の実施例によれば、弁アセンブリ又は追加の配管構成要素に接続されている二重封じ込め継手の組み合わせは、二重封じ込め継手アセンブリとして参照され得る。
【００１２】
これらの概念は、本開示の範囲を例示し、限定しない、後述する実施例に照らしてより良好に理解される。
【００１３】
図１は、弁アセンブリ１０４に接続されている二重封じ込め継手１０２を含むことができる二重封じ込め継手アセンブリ１００の斜視図の図解を含む。
【００１４】
図２は、弁アセンブリ１０４に接続されている二重封じ込め継手１０２の図解を含む。特定の実施例によれば、図２に示すように、二重封じ込め継手１０２は、一次配管１１０と、二次配管１２０と、二重封じ込め本体１３０とを含むことができる。一次配管１１０は、張り出し端部１１２と、第１の部分１１４と、第２の部分１１６とを含むことができる。二次配管１２０は、張り出し端部１２２を含むことができる。
【００１５】
同じく図２に示すように、特定の実施例によれば、二次配管１２０は、一次配管１１０の第１の部分１１４を取り囲むことができる。また他の実施例によれば、二次配管１２０は、一次配管１１０の第１の部分１１４と同心であり得る。さらに他の実施例によれば、二次配管１２０は、一次配管１１０の第１の部分１１４と二次配管１２０との間に第１の漏れ封じ込め空間１４０を形成することができる。
【００１６】
図２にさらに示すように、二重封じ込め本体１３０は、フレア継手部分１３２と、一次封じ込めナット部分１３４と、二重封じ込め本体を貫通する孔とを含むことができる。
【００１７】
特定の実施例によれば、フレア継手部分１３２は、一次配管１１０の第２の部分１１６を取り囲むことができる。さらに他の実施例によれば、フレア継手部分１３２は、一次配管１１０の第２の部分１１６と同心であり得る。さらに他の実施例によれば、フレア継手部分１３２は、一次配管１１０の第２の部分１１６と二重封じ込め本体１３０のフレア継手部分１３２との間に第２の漏れ封じ込め空間１４２を形成することができる。また他の実施例によれば、二重封じ込め本体１３０のフレア継手部分１３２は、二次配管１２０の張り出し端部１１２と圧入係合することができ、第１の漏れ封じ込め空間１４０を第２の漏れ封じ込め空間１４２と接続する。
【００１８】
さらに他の実施例によれば、一次封じ込めナット部分１３４は、一次配管１１０の張り出し端部１１２を取り囲むことができる。また他の実施例によれば、一次封じ込めナット部分１３４は、一次配管１１０の張り出し端部１１２と同心であり得る。また他の実施例によれば、一次封じ込めナット部分１３４は、一次配管１１０の張り出し端部１１２と二重封じ込め本体１３０の一次封じ込めナット部分１３４との間に第３の漏れ封じ込め空間１４４を形成することができる。
【００１９】
さらに他の実施例によれば、一次封じ込めナット部分１３４は、第３の漏れ封じ込め空間１４４を第２の漏れ封じ込め空間１４２と接続する少なくとも１つの漏れ通路穴１３５を含むことができる。
【００２０】
図２にさらに示すように、二重封じ込め継手１０２は、二次封じ込めナット１５０をさらに含むことができる。特定の実施例によれば、二次封じ込めナット１５０は、二次配管１２０の張り出し端部１２２を取り囲むことができる。さらに他の実施例によれば、二次封じ込めナット部分１５０は、二次配管１２０の張り出し端部１２２と同心であり得る。また他の実施例によれば、二次封じ込めナット１５０は、二重封じ込め本体１３０のフレア継手部分１３２にねじ止め可能に係合することができる。さらに他の実施例によれば、二次封じ込めナット１５０は、二次配管１２０の張り出し端部１２２を、二重封じ込め本体１３０のフレア継手部分１３２と圧入係合することができる。
【００２１】
図３は、図２に示す二重封じ込め継手１０２の二重封じ込め本体１３０の一次封じ込めナット部分１３４の代替的なビューの図解を含む。図３は、一次封じ込めナット部分１３４を通る漏れ通路穴１３５をさらに示す。
【００２２】
図４は、図２に示す二重封じ込め継手１０２の二重封じ込め本体１３０の一次封じ込めナット部分１３４の代替的なビューの図解を含む。図４は、一次封じ込めナット部分１３４を通る漏れ通路穴１３５をさらに示す。
【００２３】
図５は、図２に示す二重封じ込め継手１０２の二重封じ込め本体１３０の一次封じ込めナット部分１３４の代替的なビューの図解を含む。図３は、一次封じ込めナット部分１３４を通る漏れ通路穴１３５をさらに示す。
【００２４】
図６は、二重封じ込め本体１３０の図解を含む。図６に示すように、二重封じ込め本体１３０は、図２に示すような、フレア継手部分１３２と、一次封じ込めナット部分１３４と、二重封じ込め本体を貫通する孔とを含むことができる。
【００２５】
特定の実施例によれば、一次配管１１０は、特定の材料を含むことができる。また他の実施例によれば、一次配管１１０は、ポリマー材料を含むことができる。さらに他の実施例によれば、一次配管１１０は、本質的にポリマー材料から成ることができる。他の実施例によれば、一次配管１１０のポリマー材料は、ペルフルオロアルコキシ（ＰＦＡ）を含むことができる。さらに他の実施例によれば、一次配管１１０のポリマー材料は、本質的にペルフルオロアルコキシ（ＰＦＡ）から成ることができる。また他の実施例によれば、一次配管１１０は、ペルフルオロアルコキシ（ＰＦＡ）を含むことができる。さらに他の実施例によれば、一次配管１１０は、本質的にペルフルオロアルコキシ（ＰＦＡ）から成ることができる。
【００２６】
また他の実施例によれば、一次配管１１０は、外壁を含むことができる。さらに他の実施例によれば、一次配管１１０の外壁は、特定の厚さを有することができる。例えば、一次配管１１０の外壁は、少なくとも約１．０５ｍｍ、又は、少なくとも約１．１ｍｍ、又は、少なくとも約１．１５ｍｍ、又は、少なくとも約１．２ｍｍ、又は、少なくとも約１．２５ｍｍ、又は、少なくとも約１．３ｍｍ、又は、少なくとも約１．３５ｍｍ、又は、少なくとも約１．４ｍｍ、又は、少なくとも約１．４５ｍｍ、又は、さらには少なくとも約１．５ｍｍのような、少なくとも約１ｍｍの厚さを有することができる。また他の実施例によれば、一次配管１１０の外壁は、約１．９５ｍｍ以下、又は、約１．９ｍｍ以下、又は、約１．８５ｍｍ以下、又は、約１．８ｍｍ以下、又は、約１．７５ｍｍ以下、又は、約１．７ｍｍ以下、又は、約１．６５ｍｍ以下、又は、さらには約１．６ｍｍ以下のような、約２．０ｍｍ以下の厚さを有することができる。一次配管１１０の外壁の厚さは、上記の値のいずれかの間の範囲内であってもよいことが諒解されよう。一次配管１１０の外壁の厚さは、上記の値のいずれかの間のいずれの値であってもよいことがさらに諒解されよう。
【００２７】
さらに他の実施例によれば、一次配管１１０は、特定の平均内径を有することができる。例えば、一次配管１１０の平均内径は、少なくとも約３．２５ｍｍ、又は、少なくとも約３．５ｍｍ、又は、少なくとも約３．７５ｍｍ、又は、少なくとも約４．０ｍｍ、又は、少なくとも約４．２５ｍｍ、又は、少なくとも約４．５０ｍｍ、又は、少なくとも約４．７５ｍｍ、又は、少なくとも約５．０ｍｍ、又は、少なくとも約５．２５ｍｍ、又は、少なくとも約５．５ｍｍ、又は、少なくとも約５．７５ｍｍ、又は、少なくとも約６．０ｍｍ、又は、少なくとも約６．２５ｍｍ、又は、少なくとも約６．５ｍｍ、又は、少なくとも約６．７５ｍｍ、又は、少なくとも約７．０ｍｍ、又は、少なくとも約７．２５ｍｍ、又は、少なくとも約７．５ｍｍ、又は、少なくとも約７．７５ｍｍ、又は、少なくとも約８．０ｍｍ、又は、少なくとも約８．２５ｍｍ、又は、少なくとも約８．５ｍｍ、又は、少なくとも約８．７５ｍｍ、又は、少なくとも約９．０ｍｍ、又は、少なくとも約９．２５ｍｍ、又は、少なくとも約９．５ｍｍ、又は、少なくとも約９．７５ｍｍ、又は、さらには少なくとも約１０．０ｍｍのような、少なくとも約３．０ｍｍとすることができる。さらに他の実施例によれば、一次配管１１０の平均内径は、約１９．７５ｍｍ以下、又は、約１９．５ｍｍ以下、又は、約１９．２５ｍｍ以下、又は、約１９．０ｍｍ以下、又は、約１８．７５ｍｍ以下、又は、約１８．５ｍｍ以下、又は、約１８．２５ｍｍ以下、又は、約１８．０ｍｍ以下、又は、約１７．７５ｍｍ以下、又は、約１７．５ｍｍ以下、又は、約１７．２５ｍｍ以下、又は、約１７．０ｍｍ以下、又は、約１６．７５ｍｍ以下、又は、約１６．５ｍｍ以下、又は、約１６．０ｍｍ以下、又は、約１５．７５ｍｍ以下、又は、約１５．５ｍｍ以下、又は、約１５．２５ｍｍ以下、又は、約１５．０ｍｍ以下、又は、約１４．７５ｍｍ以下、又は、約１４．５ｍｍ以下、又は、約１４．２５ｍｍ以下、又は、約１４．０ｍｍ以下のような、約２０ｍｍ以下とすることができる。一次配管１１０の外壁の平均内径は、上記の値のいずれかの間の範囲内であってもよいことが諒解されよう。一次配管１１０の外壁の内径は、上記の値のいずれかの間のいずれの値であってもよいことがさらに諒解されよう。
【００２８】
また他の実施例によれば、一次配管１１０は、特定の平均外径を有することができる。例えば、一次配管１１０の平均外径は、少なくとも約５．５ｍｍ、又は、少なくとも約６．０ｍｍ、又は、少なくとも約６．５ｍｍ、又は、少なくとも約７．０ｍｍ、又は、少なくとも約７．５ｍｍ、又は、少なくとも約８．０ｍｍ、又は、少なくとも約８．５ｍｍ、又は、少なくとも約９．０ｍｍ、又は、少なくとも約９．５ｍｍ、又は、少なくとも約１０．０ｍｍ、又は、少なくとも約１０．５ｍｍ、又は、少なくとも約１１ｍｍ、又は、少なくとも約１１．５ｍｍ、又は、少なくとも約１２．０ｍｍ、又は、さらには少なくとも約１２．５ｍｍのような、少なくとも約５ｍｍとすることができる。さらに他の実施例によれば、一次配管１１０の平均外径は、約１９．５ｍｍ以下、又は、約１９．０ｍｍ以下、又は、約１８ｍｍ以下、又は、約１８．５ｍｍ以下、又は、約１８ｍｍ以下、又は、約１７．５ｍｍ以下、又は、約１７．０ｍｍ以下、又は、約１６．５ｍｍ以下、又は、約１６．０ｍｍ以下、又は、約１５．５ｍｍ以下、又は、約１５．０ｍｍ以下、又は、約１４．５ｍｍ以下、又は、約１４．０ｍｍ以下、又は、約１３．５ｍｍ以下、又は、さらには約１３ｍｍ以下のような、約２０ｍｍ以下とすることができる。一次配管１１０の外壁の平均外径は、上記の値のいずれかの間の範囲内であってもよいことが諒解されよう。一次配管１１０の外壁の平均外径は、上記の値のいずれかの間のいずれの値であってもよいことがさらに諒解されよう。
【００２９】
特定の実施例によれば、一次配管１１０の張り出し端部１１２は、特定の材料を含むことができる。また他の実施例によれば、一次配管１１０の張り出し端部１１２は、ポリマー材料を含むことができる。さらに他の実施例によれば、一次配管１１０の張り出し端部１１２は、本質的にポリマー材料から成ることができる。他の実施例によれば、一次配管１１０の張り出し端部１１２のポリマー材料は、ペルフルオロアルコキシ（ＰＦＡ）を含むことができる。さらに他の実施例によれば、一次配管１１０の張り出し端部１１２のポリマー材料は、本質的にペルフルオロアルコキシ（ＰＦＡ）から成ることができる。また他の実施例によれば、一次配管１１０の張り出し端部１１２は、ペルフルオロアルコキシ（ＰＦＡ）を含むことができる。さらに他の実施例によれば、一次配管１１０の張り出し端部１１２は、本質的にペルフルオロアルコキシ（ＰＦＡ）から成ることができる。
【００３０】
また他の実施例によれば、一次配管１１０の張り出し端部１１２は、外壁を含むことができる。さらに他の実施例によれば、一次配管１１０の張り出し端部１１２の外壁は、特定の厚さを有することができる。例えば、一次配管１１０の張り出し端部１１２の外壁は、少なくとも約１．０５ｍｍ、又は、少なくとも約１．１ｍｍ、又は、少なくとも約１．１５ｍｍ、又は、少なくとも約１．２ｍｍ、又は、少なくとも約１．２５ｍｍ、又は、少なくとも約１．３ｍｍ、又は、少なくとも約１．３５ｍｍ、又は、少なくとも約１．４ｍｍ、又は、少なくとも約１．４５ｍｍ、又は、さらには少なくとも約１．５ｍｍのような、少なくとも約１ｍｍの厚さを有することができる。また他の実施例によれば、一次配管１１０の張り出し端部１１２の外壁は、約１．９５ｍｍ以下、又は、約１．９ｍｍ以下、又は、約１．８５ｍｍ以下、又は、約１．８ｍｍ以下、又は、約１．７５ｍｍ以下、又は、約１．７ｍｍ以下、又は、約１．６５ｍｍ以下、又は、さらには約１．６ｍｍ以下のような、約２．０ｍｍ以下の厚さを有することができる。一次配管１１０の張り出し端部１１２の外壁の厚さは、上記の値のいずれかの間の範囲内であってもよいことが諒解されよう。一次配管１１０の張り出し端部１１２の外壁の厚さは、上記の値のいずれかの間のいずれの値であってもよいことがさらに諒解されよう。
【００３１】
さらに他の実施例によれば、一次配管１１０の張り出し端部１１２は、特定の最大内径を有することができる。例えば、一次配管１１０の張り出し端部１１２の最大内径は、少なくとも約５．５ｍｍ、又は、少なくとも約６．０ｍｍ、又は、少なくとも約６．５ｍｍ、又は、少なくとも約７．０ｍｍ、又は、少なくとも約７．５ｍｍ、又は、少なくとも約８．０ｍｍ、又は、少なくとも約８．５ｍｍ、又は、少なくとも約９．０ｍｍ、又は、少なくとも約９．５ｍｍ、又は、少なくとも約１０．０ｍｍ、又は、少なくとも約１０．５ｍｍ、又は、少なくとも約１１．０ｍｍ、又は、少なくとも約１１．５ｍｍ、又は、少なくとも約１２．０ｍｍ、又は、さらには少なくとも約１２．５ｍｍのような、少なくとも約５．０ｍｍとすることができる。また他の実施例によれば、一次配管１１０の張り出し端部１１２の最大内径は、約２４．５ｍｍ以下、又は、約２４．０ｍｍ以下、又は、約２３．５ｍｍ以下、又は、約２３．０ｍｍ以下、又は、約２２．５ｍｍ以下、又は、約２２．０ｍｍ以下、又は、約２１．５ｍｍ以下、又は、約２１．０ｍｍ以下、又は、約２０．５ｍｍ以下、又は、約２０．０ｍｍ以下、又は、約１９．５ｍｍ以下、又は、約１９．０ｍｍ以下、又は、約１８．５ｍｍ以下、又は、約１８．０ｍｍ以下、又は、約１７．５ｍｍ以下、又は、約１７．０ｍｍ以下、又は、約１６．５ｍｍ以下、又は、約１６．０ｍｍ以下、又は、約１５．５ｍｍ以下、又は、約１５．０ｍｍ以下、又は、約１４．５ｍｍ以下、又は、約１４．０ｍｍ以下、又は、約１３．５ｍｍ以下、又は、約１３．０ｍｍ以下のような、約２５．０ｍｍ以下とすることができる。一次配管１１０の張り出し端部１１２の最大内径は、上記の値のいずれかの間の範囲内であってもよいことが諒解されよう。一次配管１１０の張り出し端部１１２の最大内径は、上記の値のいずれかの間のいずれの値であってもよいことがさらに諒解されよう。
【００３２】
さらに他の実施例によれば、一次配管１１０の張り出し端部１１２は、特定の最小内径を有することができる。例えば、一次配管１１０の張り出し端部１１２の最小内径は、少なくとも約５．５ｍｍ、又は、少なくとも約６．０ｍｍ、又は、少なくとも約６．５ｍｍ、又は、少なくとも約７．０ｍｍ、又は、少なくとも約７．５ｍｍ、又は、少なくとも約８．０ｍｍ、又は、少なくとも約８．５ｍｍ、又は、少なくとも約９．０ｍｍ、又は、少なくとも約９．５ｍｍ、又は、少なくとも約１０．０ｍｍ、又は、少なくとも約１０．５ｍｍ、又は、少なくとも約１１．０ｍｍ、又は、少なくとも約１１．５ｍｍ、又は、少なくとも約１２．０ｍｍ、又は、さらには少なくとも約１２．５ｍｍのような、少なくとも約５．０ｍｍとすることができる。また他の実施例によれば、一次配管１１０の張り出し端部１１２の最小内径は、約２４．５ｍｍ以下、又は、約２４．０ｍｍ以下、又は、約２３．５ｍｍ以下、又は、約２３．０ｍｍ以下、又は、約２２．５ｍｍ以下、又は、約２２．０ｍｍ以下、又は、約２１．５ｍｍ以下、又は、約２１．０ｍｍ以下、又は、約２０．５ｍｍ以下、又は、約２０．０ｍｍ以下、又は、約１９．５ｍｍ以下、又は、約１９．０ｍｍ以下、又は、約１８．５ｍｍ以下、又は、約１８．０ｍｍ以下、又は、約１７．５ｍｍ以下、又は、約１７．０ｍｍ以下、又は、約１６．５ｍｍ以下、又は、約１６．０ｍｍ以下、又は、約１５．５ｍｍ以下、又は、約１５．０ｍｍ以下、又は、約１４．５ｍｍ以下、又は、約１４．０ｍｍ以下、又は、約１３．５ｍｍ以下、又は、約１３．０ｍｍ以下のような、約２５．０ｍｍ以下とすることができる。一次配管１１０の張り出し端部１１２の最小内径は、上記の値のいずれかの間の範囲内であってもよいことが諒解されよう。一次配管１１０の張り出し端部１１２の最小内径は、上記の値のいずれかの間のいずれの値であってもよいことがさらに諒解されよう。
【００３３】
さらに他の実施例によれば、一次配管１１０の張り出し端部１１２は、特定の最大外径を有することができる。例えば、一次配管１１０の張り出し端部１１２の最大外径は、少なくとも約５．５ｍｍ、又は、少なくとも約６．０ｍｍ、又は、少なくとも約６．５ｍｍ、又は、少なくとも約７．０ｍｍ、又は、少なくとも約７．５ｍｍ、又は、少なくとも約８．０ｍｍ、又は、少なくとも約８．５ｍｍ、又は、少なくとも約９．０ｍｍ、又は、少なくとも約９．５ｍｍ、又は、少なくとも約１０．０ｍｍ、又は、少なくとも約１０．５ｍｍ、又は、少なくとも約１１．０ｍｍ、又は、少なくとも約１１．５ｍｍ、又は、少なくとも約１２．０ｍｍ、又は、さらには少なくとも約１２．５ｍｍのような、少なくとも約５．０ｍｍとすることができる。また他の実施例によれば、一次配管１１０の張り出し端部１１２の最大外径は、約２４．５ｍｍ以下、又は、約２４．０ｍｍ以下、又は、約２３．５ｍｍ以下、又は、約２３．０ｍｍ以下、又は、約２２．５ｍｍ以下、又は、約２２．０ｍｍ以下、又は、約２１．５ｍｍ以下、又は、約２１．０ｍｍ以下、又は、約２０．５ｍｍ以下、又は、約２０．０ｍｍ以下、又は、約１９．５ｍｍ以下、又は、約１９．０ｍｍ以下、又は、約１８．５ｍｍ以下、又は、約１８．０ｍｍ以下、又は、約１７．５ｍｍ以下、又は、約１７．０ｍｍ以下、又は、約１６．５ｍｍ以下、又は、約１６．０ｍｍ以下、又は、約１５．５ｍｍ以下、又は、約１５．０ｍｍ以下、又は、約１４．５ｍｍ以下、又は、約１４．０ｍｍ以下、又は、約１３．５ｍｍ以下、又は、約１３．０ｍｍ以下のような、約２５．０ｍｍ以下とすることができる。一次配管１１０の張り出し端部１１２の最大外径は、上記の値のいずれかの間の範囲内であってもよいことが諒解されよう。一次配管１１０の張り出し端部１１２の最大外径は、上記の値のいずれかの間のいずれの値であってもよいことがさらに諒解されよう。
【００３４】
さらに他の実施例によれば、一次配管１１０の張り出し端部１１２は、特定の最小外径を有することができる。例えば、一次配管１１０の張り出し端部１１２の最小外径は、少なくとも約５．５ｍｍ、又は、少なくとも約６．０ｍｍ、又は、少なくとも約６．５ｍｍ、又は、少なくとも約７．０ｍｍ、又は、少なくとも約７．５ｍｍ、又は、少なくとも約８．０ｍｍ、又は、少なくとも約８．５ｍｍ、又は、少なくとも約９．０ｍｍ、又は、少なくとも約９．５ｍｍ、又は、少なくとも約１０．０ｍｍ、又は、少なくとも約１０．５ｍｍ、又は、少なくとも約１１．０ｍｍ、又は、少なくとも約１１．５ｍｍ、又は、少なくとも約１２．０ｍｍ、又は、さらには少なくとも約１２．５ｍｍのような、少なくとも約５．０ｍｍとすることができる。また他の実施例によれば、一次配管１１０の張り出し端部１１２の最小外径は、約２４．５ｍｍ以下、又は、約２４．０ｍｍ以下、又は、約２３．５ｍｍ以下、又は、約２３．０ｍｍ以下、又は、約２２．５ｍｍ以下、又は、約２２．０ｍｍ以下、又は、約２１．５ｍｍ以下、又は、約２１．０ｍｍ以下、又は、約２０．５ｍｍ以下、又は、約２０．０ｍｍ以下、又は、約１９．５ｍｍ以下、又は、約１９．０ｍｍ以下、又は、約１８．５ｍｍ以下、又は、約１８．０ｍｍ以下、又は、約１７．５ｍｍ以下、又は、約１７．０ｍｍ以下、又は、約１６．５ｍｍ以下、又は、約１６．０ｍｍ以下、又は、約１５．５ｍｍ以下、又は、約１５．０ｍｍ以下、又は、約１４．５ｍｍ以下、又は、約１４．０ｍｍ以下、又は、約１３．５ｍｍ以下、又は、約１３．０ｍｍ以下のような、約２５．０ｍｍ以下とすることができる。一次配管１１０の張り出し端部１１２の最小外径は、上記の値のいずれかの間の範囲内であってもよいことが諒解されよう。一次配管１１０の張り出し端部１１２の最小外径は、上記の値のいずれかの間のいずれの値であってもよいことがさらに諒解されよう。
【００３５】
特定の実施例によれば、一次配管１１０の第１の部分１１４は、特定の材料を含むことができる。また他の実施例によれば、一次配管１１０の第１の部分１１４は、ポリマー材料を含むことができる。さらに他の実施例によれば、一次配管１１０の第１の部分１１４は、本質的にポリマー材料から成ることができる。他の実施例によれば、一次配管１１０の第１の部分１１４のポリマー材料は、ペルフルオロアルコキシ（ＰＦＡ）を含むことができる。さらに他の実施例によれば、一次配管１１０の第１の部分１１４のポリマー材料は、本質的にペルフルオロアルコキシ（ＰＦＡ）から成ることができる。また他の実施例によれば、一次配管１１０の第１の部分１１４は、ペルフルオロアルコキシ（ＰＦＡ）を含むことができる。さらに他の実施例によれば、一次配管１１０の第１の部分１１４は、本質的にペルフルオロアルコキシ（ＰＦＡ）から成ることができる。
【００３６】
また他の実施例によれば、一次配管１１０の第１の部分１１４は、外壁を含むことができる。さらに他の実施例によれば、一次配管１１０の第１の部分１１４の外壁は、特定の厚さを有することができる。例えば、一次配管１１０の第１の部分１１４の外壁は、少なくとも約１．０５ｍｍ、又は、少なくとも約１．１ｍｍ、又は、少なくとも約１．１５ｍｍ、又は、少なくとも約１．２ｍｍ、又は、少なくとも約１．２５ｍｍ、又は、少なくとも約１．３ｍｍ、又は、少なくとも約１．３５ｍｍ、又は、少なくとも約１．４ｍｍ、又は、少なくとも約１．４５ｍｍ、又は、さらには少なくとも約１．５ｍｍのような、少なくとも約１ｍｍの厚さを有することができる。また他の実施例によれば、一次配管１１０の第１の部分１１４の外壁は、約１．９５ｍｍ以下、又は、約１．９ｍｍ以下、又は、約１．８５ｍｍ以下、又は、約１．８ｍｍ以下、又は、約１．７５ｍｍ以下、又は、約１．７ｍｍ以下、又は、約１．６５ｍｍ以下、又は、さらには約１．６ｍｍ以下のような、約２．０ｍｍ以下の厚さを有することができる。一次配管１１０の第１の部分１１４の外壁の厚さは、上記の値のいずれかの間の範囲内であってもよいことが諒解されよう。一次配管１１０の第１の部分１１４の外壁の厚さは、上記の値のいずれかの間のいずれの値であってもよいことがさらに諒解されよう。
【００３７】
さらに他の実施例によれば、一次配管１１０の第１の部分１１４は、特定の最大内径を有することができる。例えば、一次配管１１０の第１の部分１１４の最大内径は、少なくとも約３．５ｍｍ、又は、少なくとも約４．０ｍｍ、又は、少なくとも約４．５ｍｍ、又は、少なくとも約５．０ｍｍ、又は、少なくとも約５．５ｍｍ、又は、少なくとも約６．０ｍｍ、又は、少なくとも約６．５ｍｍ、又は、少なくとも約７．０ｍｍ、又は、少なくとも約７．５ｍｍ、又は、少なくとも約８．０ｍｍ、又は、少なくとも約８．５ｍｍ、又は、少なくとも約９．０ｍｍ、又は、少なくとも約９．５ｍｍ、又は、少なくとも約１０．０ｍｍ、又は、少なくとも約１０．５ｍｍ、又は、少なくとも約１１．０ｍｍ、又は、少なくとも約１１．５ｍｍ、又は、少なくとも約１２．０ｍｍ、又は、さらには少なくとも約１２．５ｍｍのような、少なくとも約３．０ｍｍとすることができる。また他の実施例によれば、一次配管１１０の第１の部分１１４の最大内径は、約２４．５ｍｍ以下、又は、約２４．０ｍｍ以下、又は、約２３．５ｍｍ以下、又は、約２３．０ｍｍ以下、又は、約２２．５ｍｍ以下、又は、約２２．０ｍｍ以下、又は、約２１．５ｍｍ以下、又は、約２１．０ｍｍ以下、又は、約２０．５ｍｍ以下、又は、約２０．０ｍｍ以下、又は、約１９．５ｍｍ以下、又は、約１９．０ｍｍ以下、又は、約１８．５ｍｍ以下、又は、約１８．０ｍｍ以下、又は、約１７．５ｍｍ以下、又は、約１７．０ｍｍ以下、又は、約１６．５ｍｍ以下、又は、約１６．０ｍｍ以下、又は、約１５．５ｍｍ以下、又は、約１５．０ｍｍ以下、又は、約１４．５ｍｍ以下、又は、約１４．０ｍｍ以下、又は、約１３．５ｍｍ以下、又は、約１３．０ｍｍ以下のような、約２５．０ｍｍ以下とすることができる。一次配管１１０の第１の部分１１４の最大内径は、上記の値のいずれかの間の範囲内であってもよいことが諒解されよう。一次配管１１０の第１の部分１１４の最大内径は、上記の値のいずれかの間のいずれの値であってもよいことがさらに諒解されよう。
【００３８】
さらに他の実施例によれば、一次配管１１０の第１の部分１１４は、特定の最小内径を有することができる。例えば、一次配管１１０の第１の部分１１４の最小内径は、少なくとも約５．５ｍｍ、又は、少なくとも約６．０ｍｍ、又は、少なくとも約６．５ｍｍ、又は、少なくとも約７．０ｍｍ、又は、少なくとも約７．５ｍｍ、又は、少なくとも約８．０ｍｍ、又は、少なくとも約８．５ｍｍ、又は、少なくとも約９．０ｍｍ、又は、少なくとも約９．５ｍｍ、又は、少なくとも約１０．０ｍｍ、又は、少なくとも約１０．５ｍｍ、又は、少なくとも約１１．０ｍｍ、又は、少なくとも約１１．５ｍｍ、又は、少なくとも約１２．０ｍｍ、又は、さらには少なくとも約１２．５ｍｍのような、少なくとも約５．０ｍｍとすることができる。また他の実施例によれば、一次配管１１０の第１の部分１１４の最小内径は、約２４．５ｍｍ以下、又は、約２４．０ｍｍ以下、又は、約２３．５ｍｍ以下、又は、約２３．０ｍｍ以下、又は、約２２．５ｍｍ以下、又は、約２２．０ｍｍ以下、又は、約２１．５ｍｍ以下、又は、約２１．０ｍｍ以下、又は、約２０．５ｍｍ以下、又は、約２０．０ｍｍ以下、又は、約１９．５ｍｍ以下、又は、約１９．０ｍｍ以下、又は、約１８．５ｍｍ以下、又は、約１８．０ｍｍ以下、又は、約１７．５ｍｍ以下、又は、約１７．０ｍｍ以下、又は、約１６．５ｍｍ以下、又は、約１６．０ｍｍ以下、又は、約１５．５ｍｍ以下、又は、約１５．０ｍｍ以下、又は、約１４．５ｍｍ以下、又は、約１４．０ｍｍ以下、又は、約１３．５ｍｍ以下、又は、約１３．０ｍｍ以下のような、約２５．０ｍｍ以下とすることができる。一次配管１１０の第１の部分１１４の最小内径は、上記の値のいずれかの間の範囲内であってもよいことが諒解されよう。一次配管１１０の第１の部分１１４の最小内径は、上記の値のいずれかの間のいずれの値であってもよいことがさらに諒解されよう。
【００３９】
特定の実施例によれば、一次配管１１０の第２の部分１１６は、特定の材料を含むことができる。また他の実施例によれば、一次配管１１０の第２の部分１１６は、ポリマー材料を含むことができる。さらに他の実施例によれば、一次配管１１０の第２の部分１１６は、本質的にポリマー材料から成ることができる。他の実施例によれば、一次配管１１０の第２の部分１１６のポリマー材料は、ペルフルオロアルコキシ（ＰＦＡ）を含むことができる。さらに他の実施例によれば、一次配管１１０の第２の部分１１６のポリマー材料は、本質的にペルフルオロアルコキシ（ＰＦＡ）から成ることができる。また他の実施例によれば、一次配管１１０の第２の部分１１６は、ペルフルオロアルコキシ（ＰＦＡ）を含むことができる。さらに他の実施例によれば、一次配管１１０の第２の部分１１６は、本質的にペルフルオロアルコキシ（ＰＦＡ）から成ることができる。
【００４０】
また他の実施例によれば、一次配管１１０の第２の部分１１６は、外壁を含むことができる。さらに他の実施例によれば、一次配管１１０の第２の部分１１６の外壁は、特定の厚さを有することができる。例えば、一次配管１１０の第２の部分１１６の外壁は、少なくとも約１．０５ｍｍ、又は、少なくとも約１．１ｍｍ、又は、少なくとも約１．１５ｍｍ、又は、少なくとも約１．２ｍｍ、又は、少なくとも約１．２５ｍｍ、又は、少なくとも約１．３ｍｍ、又は、少なくとも約１．３５ｍｍ、又は、少なくとも約１．４ｍｍ、又は、少なくとも約１．４５ｍｍ、又は、さらには少なくとも約１．５ｍｍのような、少なくとも約１ｍｍの厚さを有することができる。また他の実施例によれば、一次配管１１０の第２の部分１１６の外壁は、約１．９５ｍｍ以下、又は、約１．９ｍｍ以下、又は、約１．８５ｍｍ以下、又は、約１．８ｍｍ以下、又は、約１．７５ｍｍ以下、又は、約１．７ｍｍ以下、又は、約１．６５ｍｍ以下、又は、さらには約１．６ｍｍ以下のような、約２．０ｍｍ以下の厚さを有することができる。一次配管１１０の第２の部分１１６の外壁の厚さは、上記の値のいずれかの間の範囲内であってもよいことが諒解されよう。一次配管１１０の第２の部分１１６の外壁の厚さは、上記の値のいずれかの間のいずれの値であってもよいことがさらに諒解されよう。
【００４１】
さらに他の実施例によれば、一次配管１１０の第２の部分１１６は、特定の最大内径を有することができる。例えば、一次配管１１０の第２の部分１１６の最大内径は、少なくとも約３．５ｍｍ、又は、少なくとも約４．０ｍｍ、又は、少なくとも約４．５ｍｍ、又は、少なくとも約５．０ｍｍ、又は、少なくとも約５．５ｍｍ、又は、少なくとも約６．０ｍｍ、又は、少なくとも約６．５ｍｍ、又は、少なくとも約７．０ｍｍ、又は、少なくとも約７．５ｍｍ、又は、少なくとも約８．０ｍｍ、又は、少なくとも約８．５ｍｍ、又は、少なくとも約９．０ｍｍ、又は、少なくとも約９．５ｍｍ、又は、少なくとも約１０．０ｍｍ、又は、少なくとも約１０．５ｍｍ、又は、少なくとも約１１．０ｍｍ、又は、少なくとも約１１．５ｍｍ、又は、少なくとも約１２．０ｍｍ、又は、さらには少なくとも約１２．５ｍｍのような、少なくとも約３．０ｍｍとすることができる。また他の実施例によれば、一次配管１１０の第２の部分１１６の最大内径は、約２４．５ｍｍ以下、又は、約２４．０ｍｍ以下、又は、約２３．５ｍｍ以下、又は、約２３．０ｍｍ以下、又は、約２２．５ｍｍ以下、又は、約２２．０ｍｍ以下、又は、約２１．５ｍｍ以下、又は、約２１．０ｍｍ以下、又は、約２０．５ｍｍ以下、又は、約２０．０ｍｍ以下、又は、約１９．５ｍｍ以下、又は、約１９．０ｍｍ以下、又は、約１８．５ｍｍ以下、又は、約１８．０ｍｍ以下、又は、約１７．５ｍｍ以下、又は、約１７．０ｍｍ以下、又は、約１６．５ｍｍ以下、又は、約１６．０ｍｍ以下、又は、約１５．５ｍｍ以下、又は、約１５．０ｍｍ以下、又は、約１４．５ｍｍ以下、又は、約１４．０ｍｍ以下、又は、約１３．５ｍｍ以下、又は、約１３．０ｍｍ以下のような、約２５．０ｍｍ以下とすることができる。一次配管１１０の第２の部分１１６の最大内径は、上記の値のいずれかの間の範囲内であってもよいことが諒解されよう。一次配管１１０の第２の部分１１６の最大内径は、上記の値のいずれかの間のいずれの値であってもよいことがさらに諒解されよう。
【００４２】
さらに他の実施例によれば、一次配管１１０の第２の部分１１６は、特定の最小内径を有することができる。例えば、一次配管１１０の第２の部分１１６の最小内径は、少なくとも約５．５ｍｍ、又は、少なくとも約６．０ｍｍ、又は、少なくとも約６．５ｍｍ、又は、少なくとも約７．０ｍｍ、又は、少なくとも約７．５ｍｍ、又は、少なくとも約８．０ｍｍ、又は、少なくとも約８．５ｍｍ、又は、少なくとも約９．０ｍｍ、又は、少なくとも約９．５ｍｍ、又は、少なくとも約１０．０ｍｍ、又は、少なくとも約１０．５ｍｍ、又は、少なくとも約１１．０ｍｍ、又は、少なくとも約１１．５ｍｍ、又は、少なくとも約１２．０ｍｍ、又は、さらには少なくとも約１２．５ｍｍのような、少なくとも約５．０ｍｍとすることができる。また他の実施例によれば、一次配管１１０の第２の部分１１６の最小内径は、約２４．５ｍｍ以下、又は、約２４．０ｍｍ以下、又は、約２３．５ｍｍ以下、又は、約２３．０ｍｍ以下、又は、約２２．５ｍｍ以下、又は、約２２．０ｍｍ以下、又は、約２１．５ｍｍ以下、又は、約２１．０ｍｍ以下、又は、約２０．５ｍｍ以下、又は、約２０．０ｍｍ以下、又は、約１９．５ｍｍ以下、又は、約１９．０ｍｍ以下、又は、約１８．５ｍｍ以下、又は、約１８．０ｍｍ以下、又は、約１７．５ｍｍ以下、又は、約１７．０ｍｍ以下、又は、約１６．５ｍｍ以下、又は、約１６．０ｍｍ以下、又は、約１５．５ｍｍ以下、又は、約１５．０ｍｍ以下、又は、約１４．５ｍｍ以下、又は、約１４．０ｍｍ以下、又は、約１３．５ｍｍ以下、又は、約１３．０ｍｍ以下のような、約２５．０ｍｍ以下とすることができる。一次配管１１０の第２の部分１１６の最小内径は、上記の値のいずれかの間の範囲内であってもよいことが諒解されよう。一次配管１１０の第２の部分１１６の最小内径は、上記の値のいずれかの間のいずれの値であってもよいことがさらに諒解されよう。
【００４３】
特定の実施例によれば、二次配管１２０は、特定の材料を含むことができる。また他の実施例によれば、二次配管１２０は、ポリマー材料を含むことができる。さらに他の実施例によれば、二次配管１２０は、本質的にポリマー材料から成ることができる。他の実施例によれば、二次配管１２０のポリマー材料は、ペルフルオロアルコキシ（ＰＦＡ）を含むことができる。さらに他の実施例によれば、二次配管１２０のポリマー材料は、本質的にペルフルオロアルコキシ（ＰＦＡ）から成ることができる。また他の実施例によれば、二次配管１２０は、ペルフルオロアルコキシ（ＰＦＡ）を含むことができる。さらに他の実施例によれば、二次配管１２０は、本質的にペルフルオロアルコキシ（ＰＦＡ）から成ることができる。
【００４４】
また他の実施例によれば、二次配管１２０は、外壁を含むことができる。さらに他の実施例によれば、二次配管１２０の外壁は、特定の厚さを有することができる。例えば、二次配管１２０の外壁は、少なくとも約１．０５ｍｍ、又は、少なくとも約１．１ｍｍ、又は、少なくとも約１．１５ｍｍ、又は、少なくとも約１．２ｍｍ、又は、少なくとも約１．２５ｍｍ、又は、少なくとも約１．３ｍｍ、又は、少なくとも約１．３５ｍｍ、又は、少なくとも約１．４ｍｍ、又は、少なくとも約１．４５ｍｍ、又は、さらには少なくとも約１．５ｍｍのような、少なくとも約１ｍｍの厚さを有することができる。また他の実施例によれば、二次配管１２０の外壁は、約１．９５ｍｍ以下、又は、約１．９ｍｍ以下、又は、約１．８５ｍｍ以下、又は、約１．８ｍｍ以下、又は、約１．７５ｍｍ以下、又は、約１．７ｍｍ以下、又は、約１．６５ｍｍ以下、又は、さらには約１．６ｍｍ以下のような、約２．０ｍｍ以下の厚さを有することができる。二次配管１２０の外壁の厚さは、上記の値のいずれかの間の範囲内であってもよいことが諒解されよう。二次配管１２０の外壁の厚さは、上記の値のいずれかの間のいずれの値であってもよいことがさらに諒解されよう。
【００４５】
さらに他の実施例によれば、二次配管１２０は、特定の平均内径を有することができる。例えば、二次配管１２０の平均内径は、少なくとも約５．０ｍｍ、又は、少なくとも約５．２５ｍｍ、又は、少なくとも約５．５ｍｍ、又は、少なくとも約５．７５ｍｍ、又は、少なくとも約６．０ｍｍ、又は、少なくとも約６．２５ｍｍ、又は、少なくとも約６．５ｍｍ、又は、少なくとも約６．７５ｍｍ、又は、少なくとも約７．０ｍｍ、又は、少なくとも約７．２５ｍｍ、又は、少なくとも約７．５ｍｍ、又は、少なくとも約７．７５ｍｍ、又は、少なくとも約８．０ｍｍ、又は、少なくとも約８．２５ｍｍ、又は、少なくとも約８．５ｍｍ、又は、少なくとも約８．７５ｍｍ、又は、少なくとも約９．０ｍｍ、又は、少なくとも約９．２５ｍｍ、又は、少なくとも約９．５ｍｍ、又は、少なくとも約９．７５ｍｍ、又は、少なくとも約１０．０ｍｍ、又は、少なくとも約１０．５ｍｍ、又は、少なくとも約１１．０ｍｍ、又は、少なくとも約１１．５ｍｍ、又は、少なくとも約１２．０ｍｍ、又は、さらには少なくとも約１２．５ｍｍとすることができる。また他の実施例によれば、二次配管１２０の平均内径は、約２９．５以下、又は、約２９．０ｍｍ以下、又は、約２８．５ｍｍ以下、又は、約２８ｍｍ以下、又は、約２７．５ｍｍ以下、又は、約２７．０ｍｍ以下、又は、約２６．５ｍｍ以下、又は、約２６．０ｍｍ以下、又は、約２５．５ｍｍ以下、又は、約２５．０ｍｍ以下、又は、約２４．５ｍｍ以下、又は、約２４．０ｍｍ以下、又は、約２３．５ｍｍ以下、又は、約２３．０ｍｍ以下、又は、約２２．５ｍｍ以下、又は、約２２．０ｍｍ以下、又は、約２１．５ｍｍ以下、又は、約２１．０ｍｍ以下、又は、約２０．５ｍｍ以下、又は、約２０．０ｍｍ以下、又は、約１９．７５ｍｍ以下、又は、約１９．５ｍｍ以下、又は、約１９．２５ｍｍ以下、又は、約１９．０ｍｍ以下、又は、約１８．７５ｍｍ以下、又は、約１８．５ｍｍ以下、又は、約１８．２５ｍｍ以下、又は、約１８．０ｍｍ以下、又は、約１７．７５ｍｍ以下、又は、約１７．５ｍｍ以下、又は、約１７．２５ｍｍ以下、又は、約１７．０ｍｍ以下、又は、約１６．７５ｍｍ以下、又は、約１６．５ｍｍ以下、又は、約１６．０ｍｍ以下、又は、約１５．７５ｍｍ以下、又は、約１５．５ｍｍ以下、又は、約１５．２５ｍｍ以下、又は、約１５．０ｍｍ以下、又は、約１４．７５ｍｍ以下、又は、約１４．５ｍｍ以下、又は、約１４．２５ｍｍ以下、又は、約１４．０ｍｍ以下のような、約３０ｍｍ以下とすることができる。二次配管１２０の外壁の平均内径は、上記の値のいずれかの間の範囲内であってもよいことが諒解されよう。二次配管１２０の外壁の内径は、上記の値のいずれかの間のいずれの値であってもよいことがさらに諒解されよう。
【００４６】
また他の実施例によれば、二次配管１２０は、特定の平均外径を有することができる。例えば、二次配管１２０の平均外径は、又は、少なくとも約１０．５ｍｍ、又は、少なくとも約１１．５ｍｍ、又は、少なくとも約１２．０ｍｍ、又は、少なくとも約１２．５ｍｍ、又は、少なくとも約１３．０ｍｍ、又は、少なくとも約１３．５ｍｍ、又は、少なくとも約１４．０ｍｍ、又は、少なくとも約１４．５ｍｍ、又は、少なくとも約１５．０ｍｍ、又は、少なくとも約１５．５ｍｍ、又は、少なくとも約１６．０ｍｍ、又は、少なくとも約１６．５ｍｍ、又は、少なくとも約１７．０ｍｍ、又は、少なくとも約１７．５ｍｍ、又は、少なくとも約１８．０ｍｍ、又は、少なくとも約１８．５ｍｍ、又は、少なくとも約１９．０ｍｍ、又は、少なくとも約１９．５ｍｍ、又は、少なくとも約２０ｍｍ、又は、少なくとも約２０．５ｍｍ、又は、少なくとも約２１．０ｍｍ、又は、少なくとも約２１．５ｍｍ、又は、少なくとも約２２．０ｍｍ、又は、さらには少なくとも約２２．５ｍｍのような、少なくとも約１０ｍｍとすることができる。また他の実施例によれば、二次配管１２０の平均外径は、約３４．５ｍｍ以下、又は、約３４．０ｍｍ以下、又は、約３３．５ｍｍ以下、又は、約３３．０ｍｍ以下、又は、約３２．５ｍｍ以下、又は、約３２．０ｍｍ以下、又は、約３１．５ｍｍ以下、又は、約３１．０ｍｍ以下、又は、約３０．５ｍｍ以下、又は、約３０．０ｍｍ以下、又は、約２９．５ｍｍ以下、又は、約２９．０ｍｍ以下、又は、約２８．５ｍｍ以下、又は、約２８．０ｍｍ以下、又は、約２７．５ｍｍ以下、又は、約２７．０ｍｍ以下、又は、約２６．５ｍｍ以下、又は、約２６．０ｍｍ以下、又は、約２５．５ｍｍ以下、又は、約２５．０ｍｍ以下、又は、約２４．５ｍｍ以下、又は、約２４．０ｍｍ以下、又は、約２３．５ｍｍ以下、又は、さらには約２３．０ｍｍ以下のような、約３５ｍｍ以下とすることができる。二次配管１２０の外壁の平均外径は、上記の値のいずれかの間の範囲内であってもよいことが諒解されよう。二次配管１２０の外壁の外径は、上記の値のいずれかの間のいずれの値であってもよいことがさらに諒解されよう。
【００４７】
特定の実施例によれば、二次配管１２０の張り出し端部１２２は、特定の材料を含むことができる。また他の実施例によれば、二次配管１２０の張り出し端部１２２は、ポリマー材料を含むことができる。さらに他の実施例によれば、二次配管１２０の張り出し端部１２２は、本質的にポリマー材料から成ることができる。他の実施例によれば、二次配管１２０の張り出し端部１２２のポリマー材料は、ペルフルオロアルコキシ（ＰＦＡ）を含むことができる。さらに他の実施例によれば、二次配管１２０の張り出し端部１２２のポリマー材料は、本質的にペルフルオロアルコキシ（ＰＦＡ）から成ることができる。また他の実施例によれば、二次配管１２０の張り出し端部１２２は、ペルフルオロアルコキシ（ＰＦＡ）を含むことができる。さらに他の実施例によれば、二次配管１２０の張り出し端部１２２は、本質的にペルフルオロアルコキシ（ＰＦＡ）から成ることができる。
【００４８】
また他の実施例によれば、二次配管１２０の張り出し端部１２２は、外壁を含むことができる。さらに他の実施例によれば、二次配管１２０の張り出し端部１２２の外壁は、特定の厚さを有することができる。例えば、二次配管１２０の張り出し端部１２２の外壁は、少なくとも約１．０５ｍｍ、又は、少なくとも約１．１ｍｍ、又は、少なくとも約１．１５ｍｍ、又は、少なくとも約１．２ｍｍ、又は、少なくとも約１．２５ｍｍ、又は、少なくとも約１．３ｍｍ、又は、少なくとも約１．３５ｍｍ、又は、少なくとも約１．４ｍｍ、又は、少なくとも約１．４５ｍｍ、又は、さらには少なくとも約１．５ｍｍのような、少なくとも約１ｍｍの厚さを有することができる。また他の実施例によれば、二次配管１２０の張り出し端部１２２の外壁は、約１．９５ｍｍ以下、又は、約１．９ｍｍ以下、又は、約１．８５ｍｍ以下、又は、約１．８ｍｍ以下、又は、約１．７５ｍｍ以下、又は、約１．７ｍｍ以下、又は、約１．６５ｍｍ以下、又は、さらには約１．６ｍｍ以下のような、約２．０ｍｍ以下の厚さを有することができる。二次配管１２０の張り出し端部１２２の外壁の厚さは、上記の値のいずれかの間の範囲内であってもよいことが諒解されよう。二次配管１２０の張り出し端部１２２の外壁の厚さは、上記の値のいずれかの間のいずれの値であってもよいことがさらに諒解されよう。
【００４９】
さらに他の実施例によれば、二次配管１２０の張り出し端部１２２は、特定の最大内径を有することができる。例えば、二次配管１２０の張り出し端部１２２の最大内径は、又は、少なくとも約１０．５ｍｍ、又は、少なくとも約１１．５ｍｍ、又は、少なくとも約１２．０ｍｍ、又は、少なくとも約１２．５ｍｍ、又は、少なくとも約１３．０ｍｍ、又は、少なくとも約１３．５ｍｍ、又は、少なくとも約１４．０ｍｍ、又は、少なくとも約１４．５ｍｍ、又は、少なくとも約１５．０ｍｍ、又は、少なくとも約１５．５ｍｍ、又は、少なくとも約１６．０ｍｍ、又は、少なくとも約１６．５ｍｍ、又は、少なくとも約１７．０ｍｍ、又は、少なくとも約１７．５ｍｍ、又は、少なくとも約１８．０ｍｍ、又は、少なくとも約１８．５ｍｍ、又は、少なくとも約１９．０ｍｍ、又は、少なくとも約１９．５ｍｍ、又は、少なくとも約２０ｍｍ、又は、少なくとも約２０．５ｍｍ、又は、少なくとも約２１．０ｍｍ、又は、少なくとも約２１．５ｍｍ、又は、少なくとも約２２．０ｍｍ、又は、さらには少なくとも約２２．５ｍｍのような、少なくとも約１０ｍｍとすることができる。また他の実施例によれば、二次配管１２０の張り出し端部１２２の最大内径は、約３９．５ｍｍ以下、又は、約３９．０ｍｍ以下、又は、約３８．５ｍｍ以下、又は、約３８．０ｍｍ以下、又は、約３７ｍｍ以下、又は、約３６．５ｍｍ以下、又は、約３６ｍｍ以下、又は、約３５．５ｍｍ以下、又は、約３５ｍｍ以下、又は、約３４．５ｍｍ以下、又は、約３４．０ｍｍ以下、又は、約３３．５ｍｍ以下、又は、約３３．０ｍｍ以下、又は、約３２．５ｍｍ以下、又は、約３２．０ｍｍ以下、又は、約３１．５ｍｍ以下、又は、約３１．０ｍｍ以下、又は、約３０．５ｍｍ以下、又は、約３０．０ｍｍ以下、又は、約２９．５ｍｍ以下、又は、約２９．０ｍｍ以下、又は、約２８．５ｍｍ以下、又は、約２８．０ｍｍ以下、又は、約２７．５ｍｍ以下、又は、約２７．０ｍｍ以下、又は、約２６．５ｍｍ以下、又は、約２６．０ｍｍ以下、又は、約２５．５ｍｍ以下、又は、約２５．０ｍｍ以下、又は、約２４．５ｍｍ以下、又は、約２４．０ｍｍ以下、又は、約２３．５ｍｍ以下、又は、約２３．０ｍｍ以下のような、約４０ｍｍ以下とすることができる。二次配管１２０の張り出し端部１２２の最大内径は、上記の値のいずれかの間の範囲内であってもよいことが諒解されよう。二次配管１２０の張り出し端部１２２の最大内径は、上記の値のいずれかの間のいずれの値であってもよいことがさらに諒解されよう。
【００５０】
さらに他の実施例によれば、二次配管１２０の張り出し端部１２２は、特定の最小内径を有することができる。例えば、二次配管１２０の張り出し端部１２２の最小内径は、少なくとも約１０．５ｍｍ、又は、少なくとも約１１．５ｍｍ、又は、少なくとも約１２．０ｍｍ、又は、少なくとも約１２．５ｍｍ、又は、少なくとも約１３．０ｍｍ、又は、少なくとも約１３．５ｍｍ、又は、少なくとも約１４．０ｍｍ、又は、少なくとも約１４．５ｍｍ、又は、少なくとも約１５．０ｍｍ、又は、少なくとも約１５．５ｍｍ、又は、少なくとも約１６．０ｍｍ、又は、少なくとも約１６．５ｍｍ、又は、少なくとも約１７．０ｍｍ、又は、少なくとも約１７．５ｍｍ、又は、少なくとも約１８．０ｍｍ、又は、少なくとも約１８．５ｍｍ、又は、少なくとも約１９．０ｍｍ、又は、少なくとも約１９．５ｍｍ、又は、少なくとも約２０ｍｍ、又は、少なくとも約２０．５ｍｍ、又は、少なくとも約２１．０ｍｍ、又は、少なくとも約２１．５ｍｍ、又は、少なくとも約２２．０ｍｍ、又は、さらには少なくとも約２２．５ｍｍのような、少なくとも約１０ｍｍとすることができる。また他の実施例によれば、二次配管１２０の張り出し端部１２２の最小内径は、約３９．５ｍｍ以下、又は、約３９．０ｍｍ以下、又は、約３８．５ｍｍ以下、又は、約３８．０ｍｍ以下、又は、約３７ｍｍ以下、又は、約３６．５ｍｍ以下、又は、約３６ｍｍ以下、又は、約３５．５ｍｍ以下、又は、約３５ｍｍ以下、又は、約３４．５ｍｍ以下、又は、約３４．０ｍｍ以下、又は、約３３．５ｍｍ以下、又は、約３３．０ｍｍ以下、又は、約３２．５ｍｍ以下、又は、約３２．０ｍｍ以下、又は、約３１．５ｍｍ以下、又は、約３１．０ｍｍ以下、又は、約３０．５ｍｍ以下、又は、約３０．０ｍｍ以下、又は、約２９．５ｍｍ以下、又は、約２９．０ｍｍ以下、又は、約２８．５ｍｍ以下、又は、約２８．０ｍｍ以下、又は、約２７．５ｍｍ以下、又は、約２７．０ｍｍ以下、又は、約２６．５ｍｍ以下、又は、約２６．０ｍｍ以下、又は、約２５．５ｍｍ以下、又は、約２５．０ｍｍ以下、又は、約２４．５ｍｍ以下、又は、約２４．０ｍｍ以下、又は、約２３．５ｍｍ以下、又は、さらには約２３．０ｍｍ以下のような、約４０ｍｍ以下とすることができる。二次配管１２０の張り出し端部１２２の最小内径は、上記の値のいずれかの間の範囲内であってもよいことが諒解されよう。二次配管１２０の張り出し端部１２２の最小内径は、上記の値のいずれかの間のいずれの値であってもよいことがさらに諒解されよう。
【００５１】
さらに他の実施例によれば、二次配管１２０の張り出し端部１２２は、特定の最大外径を有することができる。例えば、二次配管１２０の張り出し端部１２２の最大外径は、少なくとも約１５．５ｍｍ、又は、少なくとも約１６．０ｍｍ、又は、少なくとも約１６．５ｍｍ、又は、少なくとも約１７．０ｍｍ、又は、少なくとも約１７．５ｍｍ、又は、少なくとも約１８．０ｍｍ、又は、少なくとも約１８．５ｍｍ、又は、少なくとも約１９．０ｍｍ、又は、少なくとも約１９．５ｍｍ、又は、少なくとも約２０ｍｍ、又は、少なくとも約２０．５ｍｍ、又は、少なくとも約２１．０ｍｍ、又は、少なくとも約２１．５ｍｍ、又は、少なくとも約２２．０ｍｍ、又は、さらには少なくとも約２２．５ｍｍのような、少なくとも約１５．０ｍｍとすることができる。また他の実施例によれば、二次配管１２０の張り出し端部１２２の最大外径は、約３９．５ｍｍ以下、又は、約３９．０ｍｍ以下、又は、約３８．５ｍｍ以下、又は、約３８．０ｍｍ以下、又は、約３７ｍｍ以下、又は、約３６．５ｍｍ以下、又は、約３６ｍｍ以下、又は、約３５．５ｍｍ以下、又は、約３５ｍｍ以下、又は、約３４．５ｍｍ以下、又は、約３４．０ｍｍ以下、又は、約３３．５ｍｍ以下、又は、約３３．０ｍｍ以下、又は、約３２．５ｍｍ以下、又は、約３２．０ｍｍ以下、又は、約３１．５ｍｍ以下、又は、約３１．０ｍｍ以下、又は、約３０．５ｍｍ以下、又は、約３０．０ｍｍ以下、又は、約２９．５ｍｍ以下、又は、約２９．０ｍｍ以下、又は、約２８．５ｍｍ以下、又は、約２８．０ｍｍ以下、又は、約２７．５ｍｍ以下、又は、約２７．０ｍｍ以下、又は、約２６．５ｍｍ以下、又は、約２６．０ｍｍ以下、又は、約２５．５ｍｍ以下、又は、約２５．０ｍｍ以下、又は、約２４．５ｍｍ以下、又は、約２４．０ｍｍ以下、又は、約２３．５ｍｍ以下、又は、さらには約２３．０ｍｍ以下のような、約４０ｍｍ以下とすることができる。二次配管１２０の張り出し端部１２２の最大外径は、上記の値のいずれかの間の範囲内であってもよいことが諒解されよう。二次配管１２０の張り出し端部１２２の最大外径は、上記の値のいずれかの間のいずれの値であってもよいことがさらに諒解されよう。
【００５２】
さらに他の実施例によれば、二次配管１２０の張り出し端部１２２は、特定の最小外径を有することができる。例えば、二次配管１２０の張り出し端部１２２の最小外径は、少なくとも約５．５ｍｍ、又は、少なくとも約６．０ｍｍ、又は、少なくとも約６．５ｍｍ、又は、少なくとも約７．０ｍｍ、又は、少なくとも約７．５ｍｍ、又は、少なくとも約８．０ｍｍ、又は、少なくとも約８．５ｍｍ、又は、少なくとも約９．０ｍｍ、又は、少なくとも約９．５ｍｍ、又は、少なくとも約１０．０ｍｍ、又は、少なくとも約１０．５ｍｍ、又は、少なくとも約１１．０ｍｍ、又は、少なくとも約１１．５ｍｍ、又は、少なくとも約１２．０ｍｍ、又は、さらには少なくとも約１２．５ｍｍのような、少なくとも約５．０ｍｍとすることができる。また他の実施例によれば、二次配管１２０の張り出し端部１２２の最小外径は、約２４．５ｍｍ以下、又は、約２４．０ｍｍ以下、又は、約２３．５ｍｍ以下、又は、約２３．０ｍｍ以下、又は、約２２．５ｍｍ以下、又は、約２２．０ｍｍ以下、又は、約２１．５ｍｍ以下、又は、約２１．０ｍｍ以下、又は、約２０．５ｍｍ以下、又は、約２０．０ｍｍ以下、又は、約１９．５ｍｍ以下、又は、約１９．０ｍｍ以下、又は、約１８．５ｍｍ以下、又は、約１８．０ｍｍ以下、又は、約１７．５ｍｍ以下、又は、約１７．０ｍｍ以下、又は、約１６．５ｍｍ以下、又は、約１６．０ｍｍ以下、又は、約１５．５ｍｍ以下、又は、約１５．０ｍｍ以下、又は、約１４．５ｍｍ以下、又は、約１４．０ｍｍ以下、又は、約１３．５ｍｍ以下、又は、約１３．０ｍｍ以下のような、約２５．０ｍｍ以下とすることができる。二次配管１２０の張り出し端部１２２の最小外径は、上記の値のいずれかの間の範囲内であってもよいことが諒解されよう。二次配管１２０の張り出し端部１２２の最小外径は、上記の値のいずれかの間のいずれの値であってもよいことがさらに諒解されよう。
【００５３】
特定の実施例によれば、二重封じ込め本体１３０の張り出し継手部分１３２は、特定の材料を含むことができる。また他の実施例によれば、二重封じ込め本体１３０の張り出し継手部分１３２は、ポリマー材料を含むことができる。また他の実施例によれば、二重封じ込め本体１３０の張り出し継手部分１３２は、本質的にポリマー材料から成ることができる。他の実施例によれば、二重封じ込め本体１３０の張り出し継手部分１３２のポリマー材料は、ペルフルオロアルコキシ（ＰＦＡ）を含むことができる。さらに他の実施例によれば、二重封じ込め本体１３０の張り出し継手部分１３２のポリマー材料は、本質的にペルフルオロアルコキシ（ＰＦＡ）から成ることができる。また他の実施例によれば、二重封じ込め本体１３０の張り出し継手部分１３２は、ペルフルオロアルコキシ（ＰＦＡ）を含むことができる。さらに他の実施例によれば、二重封じ込め本体１３０の張り出し継手部分１３２は、本質的にペルフルオロアルコキシ（ＰＦＡ）から成ることができる。
【００５４】
さらに他の実施例によれば、二重封じ込め本体１３０の張り出し継手部分１３２は、特定の平均内径を有することができる。例えば、二重封じ込め本体１３０の張り出し継手部分１３２の平均内径は、少なくとも約５．５ｍｍ、又は、少なくとも約６．０ｍｍ、又は、少なくとも約６．５ｍｍ、又は、少なくとも約７．０ｍｍ、又は、少なくとも約７．５ｍｍ、又は、少なくとも約８．０ｍｍ、又は、少なくとも約８．５ｍｍ、又は、少なくとも約９．０ｍｍ、又は、少なくとも約９．５ｍｍ、又は、少なくとも約１０．０ｍｍ、又は、少なくとも約１０．５ｍｍ、又は、少なくとも約１１．０ｍｍ、又は、少なくとも約１１．５ｍｍ、又は、少なくとも約１２．０ｍｍ、又は、さらには少なくとも約１２．５ｍｍのような、少なくとも約５．０ｍｍの平均内径とすることができる。また他の実施例によれば、二重封じ込め本体１３０の張り出し継手部分１３２の平均内径は、約３０．０ｍｍ以下、又は、約２９．５以下、又は、約２９．０ｍｍ以下、又は、約２８．５ｍｍ以下、又は、約２８ｍｍ以下、又は、約２７．５ｍｍ以下、又は、約２７．０ｍｍ以下、又は、約２６．５ｍｍ以下、又は、約２６．０ｍｍ以下、又は、約２５．５ｍｍ以下、又は、約２５．０ｍｍ以下、又は、約２４．５ｍｍ以下、又は、約２４．０ｍｍ以下、又は、約２３．５ｍｍ以下、又は、約２３．０ｍｍ以下、又は、約２２．５ｍｍ以下、又は、約２２．０ｍｍ以下、又は、約２１．５ｍｍ以下、又は、約２１．０ｍｍ以下、又は、約２０．５ｍｍ以下、又は、約２０．０ｍｍ以下、又は、約１９．５ｍｍ以下、又は、約１９．０ｍｍ以下、又は、約１８．５ｍｍ以下、又は、約１８．０ｍｍ以下、又は、約１７．５ｍｍ以下、又は、約１７．０ｍｍ以下、又は、約１６．５ｍｍ以下、又は、約１６．０ｍｍ以下、又は、約１５．５ｍｍ以下、又は、約１５．０ｍｍ以下、又は、約１４．５ｍｍ以下、又は、約１４．０ｍｍ以下、又は、約１３．５ｍｍ以下、又は、約１３．０ｍｍ以下とすることができる。二重封じ込め本体１３０の張り出し継手部分１３２の平均内径は、上記の値のいずれかの間の範囲内であってもよいことが諒解されよう。二重封じ込め本体１３０の張り出し継手部分１３２の平均内径は、上記の値のいずれかの間のいずれの値であってもよいことがさらに諒解されよう。
【００５５】
特定の実施例によれば、二重封じ込め本体１３０の一次封じ込めナット部分１３４は、特定の材料を含むことができる。また他の実施例によれば、二重封じ込め本体１３０の一次封じ込めナット部分１３４は、ポリマー材料を含むことができる。さらに他の実施例によれば、二重封じ込め本体１３０の一次封じ込めナット部分１３４は、本質的にポリマー材料から成ることができる。他の実施例によれば、二重封じ込め本体１３０の一次封じ込めナット部分１３４のポリマー材料は、ペルフルオロアルコキシ（ＰＦＡ）を含むことができる。さらに他の実施例によれば、二重封じ込め本体１３０の一次封じ込めナット部分１３４のポリマー材料は、本質的にペルフルオロアルコキシ（ＰＦＡ）から成ることができる。また他の実施例によれば、二重封じ込め本体１３０の一次封じ込めナット部分１３４は、ペルフルオロアルコキシ（ＰＦＡ）を含むことができる。さらに他の実施例によれば、二重封じ込め本体１３０の一次封じ込めナット部分１３４は、本質的にペルフルオロアルコキシ（ＰＦＡ）から成ることができる。
【００５６】
また他の実施例によれば、二重封じ込め本体１３０の一次封じ込めナット部分１３４は、外壁を含むことができる。さらに他の実施例によれば、二重封じ込め本体１３０の一次封じ込めナット部分１３４の外壁は、特定の厚さを有することができる。例えば、二重封じ込め本体１３０の一次封じ込めナット部分１３４の外壁は、少なくとも約１．０５ｍｍ、又は、少なくとも約１．１ｍｍ、又は、少なくとも約１．１５ｍｍ、又は、少なくとも約１．２ｍｍ、又は、少なくとも約１．２５ｍｍ、又は、少なくとも約１．３ｍｍ、又は、少なくとも約１．３５ｍｍ、又は、少なくとも約１．４ｍｍ、又は、少なくとも約１．４５ｍｍ、又は、さらには少なくとも約１．５ｍｍのような、少なくとも約１ｍｍの厚さを有することができる。また他の実施例によれば、二重封じ込め本体１３０の一次封じ込めナット部分１３４の外壁は、約４．７５ｍｍ以下、又は、約４．５ｍｍ以下、又は、約４．２５ｍｍ以下、又は、約４．０ｍｍ以下、又は、約３．７５ｍｍ以下、又は、約３．５ｍｍ以下、又は、約３．２５ｍｍ以下、又は、約３．０ｍｍ以下、又は、約２．７５ｍｍ以下、又は、約２．５ｍｍ以下、又は、約２．２５ｍｍ以下、又は、さらには約２．０ｍｍ以下のような、約５．０ｍｍ以下の厚さを有することができる。二重封じ込め本体１３０の一次封じ込めナット部分１３４の外壁の厚さは、上記の値のいずれかの間の範囲内であってもよいことが諒解されよう。二重封じ込め本体１３０の一次封じ込めナット部分１３４の外壁の厚さは、上記の値のいずれかの間のいずれの値であってもよいことがさらに諒解されよう。
【００５７】
さらに他の実施例によれば、二重封じ込め本体１３０の一次封じ込めナット部分１３４は、特定の平均内径を有することができる。例えば、二重封じ込め本体１３０の一次封じ込めナット部分１３４の平均内径は、少なくとも約１．０５ｍｍ、又は、少なくとも約１．１ｍｍ、又は、少なくとも約１．１５ｍｍ、又は、少なくとも約１．２ｍｍ、又は、少なくとも約１．２５ｍｍ、又は、少なくとも約１．３ｍｍ、又は、少なくとも約１．３５ｍｍ、又は、少なくとも約１．４ｍｍ、又は、少なくとも約１．４５ｍｍ、又は、さらには少なくとも約１．５ｍｍのような、少なくとも約１ｍｍの平均内径とすることができる。また他の実施例によれば、二重封じ込め本体１３０の一次封じ込めナット部分１３４の平均内径は、約１９．７５ｍｍ以下、又は、約１９．５ｍｍ以下、又は、約１９．２５ｍｍ以下、又は、約１９．０ｍｍ以下、又は、約１８．７５ｍｍ以下、又は、約１８．５ｍｍ以下、又は、約１８．２５ｍｍ以下、又は、約１８．０ｍｍ以下、又は、約１７．７５ｍｍ以下、又は、約１７．５ｍｍ以下、又は、約１７．２５ｍｍ以下、又は、約１７．０ｍｍ以下、又は、約１６．７５ｍｍ以下、又は、約１６．５ｍｍ以下、又は、約１６．０ｍｍ以下、又は、約１５．７５ｍｍ以下、又は、約１５．５ｍｍ以下、又は、約１５．２５ｍｍ以下、又は、約１５．０ｍｍ以下、又は、約１４．７５ｍｍ以下、又は、約１４．５ｍｍ以下、又は、約１４．２５ｍｍ以下、又は、さらには約１４．０ｍｍ以下のような、約２０ｍｍ以下とすることができる。二重封じ込め本体１３０の一次封じ込めナット部分１３４の平均内径は、上記の値のいずれかの間の範囲内であってもよいことが諒解されよう。二重封じ込め本体１３０の一次封じ込めナット部分１３４の平均内径は、上記の値のいずれかの間のいずれの値であってもよいことがさらに諒解されよう。
【００５８】
また他の実施例によれば、二重封じ込め本体１３０の一次封じ込めナット部分１３４は、特定の平均外径を有することができる。例えば、二重封じ込め本体１３０の一次封じ込めナット部分１３４の平均外径は、少なくとも約１５．５ｍｍ、又は、少なくとも約１６．０ｍｍ、又は、少なくとも約１６．５ｍｍ、又は、少なくとも約１７．０ｍｍ、又は、少なくとも約１７．５ｍｍ、又は、少なくとも約１８．０ｍｍ、又は、少なくとも約１８．５ｍｍ、又は、少なくとも約１９．０ｍｍ、又は、少なくとも約１９．５ｍｍ、又は、少なくとも約２０ｍｍ、又は、少なくとも約２０．５ｍｍ、又は、少なくとも約２１．０ｍｍ、又は、少なくとも約２１．５ｍｍ、又は、少なくとも約２２．０ｍｍ、又は、さらには少なくとも約２２．５ｍｍのような、少なくとも約１５．０ｍｍとすることができる。さらに他の実施例によれば、二重封じ込め本体１３０の一次封じ込めナット部分１３４の平均外径は、約３９．５ｍｍ以下、又は、約３９．０ｍｍ以下、又は、約３８．５ｍｍ以下、又は、約３８．０ｍｍ以下、又は、約３７ｍｍ以下、又は、約３６．５ｍｍ以下、又は、約３６ｍｍ以下、又は、約３５．５ｍｍ以下、又は、約３５ｍｍ以下、又は、約３４．５ｍｍ以下、又は、約３４．０ｍｍ以下、又は、約３３．５ｍｍ以下、又は、約３３．０ｍｍ以下、又は、約３２．５ｍｍ以下、又は、約３２．０ｍｍ以下、又は、約３１．５ｍｍ以下、又は、約３１．０ｍｍ以下、又は、約３０．５ｍｍ以下、又は、約３０．０ｍｍ以下、又は、約２９．５ｍｍ以下、又は、約２９．０ｍｍ以下、又は、約２８．５ｍｍ以下、又は、約２８．０ｍｍ以下、又は、約２７．５ｍｍ以下、又は、約２７．０ｍｍ以下、又は、約２６．５ｍｍ以下、又は、約２６．０ｍｍ以下、又は、約２５．５ｍｍ以下、又は、約２５．０ｍｍ以下、又は、約２４．５ｍｍ以下、又は、約２４．０ｍｍ以下、又は、約２３．５ｍｍ以下、又は、さらには約２３．０ｍｍ以下のような、約４０ｍｍ以下とすることができる。二重封じ込め本体１３０の一次封じ込めナット部分１３４の外壁の平均外径は、上記の値のいずれかの間の範囲内であってもよいことが諒解されよう。二重封じ込め本体１３０の一次封じ込めナット部分１３４の外壁の外径は、上記の値のいずれかの間のいずれの値であってもよいことがさらに諒解されよう。
【００５９】
さらに他の実施例によれば、二重封じ込め本体１３０の一次封じ込めナット部分１３４の外壁は、特定数の漏れ通路穴１３５を含むことができる。例えば、二重封じ込め本体１３０の一次封じ込めナット部分１３４の外壁は、少なくとも２つの漏れ通路穴、又は、少なくとも３つの漏れ通路穴、又は、少なくとも４つの漏れ通路穴、又は、少なくとも５つの漏れ通路穴、又は、さらには少なくとも６つの漏れ通路穴のような、少なくとも１つの漏れ通路穴を有することができる。
【００６０】
また他の実施例によれば、漏れ通路穴１３５の各々は、二重封じ込め本体１３０の一次封じ込めナット部分１３４の外壁の周りで等間隔に離間することができる。また他の実施例によれば、漏れ通路穴１３５の各々は、二重封じ込め本体１３０の一次封じ込めナット部分１３４の外壁を通過することができる。
【００６１】
さらに他の実施例によれば、漏れ通路穴１３５の各々は、一方向流体流向けに構成することができる。また他の実施例によれば、漏れ通路穴１３５の各々は、第３の漏れ封じ込め空間１４４から第２の漏れ封じ込め空間１４２への流れを可能にするように構成することができる。
【００６２】
さらに他の実施例によれば、漏れ通路穴１３５のいずれかは、特定の内径を有することができる。例えば、漏れ通路穴１３５の内径は、少なくとも約０．６ｍｍ、又は、少なくとも約０．７ｍｍ、又は、少なくとも約０．８ｍｍ、又は、少なくとも約０．９ｍｍ、又は、少なくとも約１．０ｍｍ、又は、少なくとも約１．１ｍｍ、又は、さらには少なくとも約１．２ｍｍのような、少なくとも約０．５ｍｍとすることができる。さらに他の実施例によれば、漏れ通路穴１３５の内径は、約１．９５ｍｍ以下、又は、約１．９ｍｍ以下、又は、約１．８５ｍｍ以下、又は、約１．８ｍｍ以下、又は、約１．７５ｍｍ以下、又は、約１．７ｍｍ以下、又は、約１．６５ｍｍ以下、又は、約１．６ｍｍ以下のような、約２．０ｍｍ以下とすることができる。漏れ通路穴１３５のいずれかの内径は、上記の値のいずれかの間の範囲内であってもよいことが諒解されよう。漏れ通路穴１３５のいずれかの内径は、上記の値のいずれかの間のいずれの値であってもよいことがさらに諒解されよう。
【００６３】
特定の実施例によれば、二次封じ込めナット１５０は、特定の材料を含むことができる。また他の実施例によれば、二次封じ込めナット１５０は、ポリマー材料を含むことができる。さらに他の実施例によれば、二次封じ込めナット１５０は、本質的にポリマー材料から成ることができる。他の実施例によれば、二次封じ込めナット１５０のポリマー材料は、ペルフルオロアルコキシ（ＰＦＡ）を含むことができる。さらに他の実施例によれば、二次封じ込めナット１５０のポリマー材料は、本質的にペルフルオロアルコキシ（ＰＦＡ）から成ることができる。また他の実施例によれば、二次封じ込めナット１５０は、ペルフルオロアルコキシ（ＰＦＡ）を含むことができる。さらに他の実施例によれば、二次封じ込めナット１５０は、本質的にペルフルオロアルコキシ（ＰＦＡ）から成ることができる。
【００６４】
また他の実施例によれば、二次封じ込めナット１５０は、外壁を含むことができる。さらに他の実施例によれば、二次封じ込めナット１５０の外壁は、特定の厚さを有することができる。例えば、二次封じ込めナット１５０の外壁は、少なくとも約３．２５ｍｍ、又は、少なくとも約３．５ｍｍ、又は、少なくとも約３．７５ｍｍ、又は、少なくとも約４．０ｍｍ、又は、少なくとも約４．２５ｍｍ、又は、少なくとも約４．５０ｍｍ、又は、少なくとも約４．７５ｍｍ、又は、少なくとも約５．０ｍｍ、又は、少なくとも約５．２５ｍｍ、又は、少なくとも約５．５ｍｍ、又は、少なくとも約５．７５ｍｍ、又は、少なくとも約６．０ｍｍ、又は、少なくとも約６．２５ｍｍ、又は、少なくとも約６．５ｍｍ、又は、少なくとも約６．７５ｍｍ、又は、少なくとも約７．０ｍｍ、又は、少なくとも約７．２５ｍｍ、又は、少なくとも約７．５ｍｍ、又は、少なくとも約７．７５ｍｍ、又は、少なくとも約８．０ｍｍ、又は、少なくとも約８．２５ｍｍ、又は、少なくとも約８．５ｍｍ、又は、少なくとも約８．７５ｍｍ、又は、少なくとも約９．０ｍｍ、又は、少なくとも約９．２５ｍｍ、又は、少なくとも約９．５ｍｍ、又は、少なくとも約９．７５ｍｍ、又は、さらには少なくとも約１０．０ｍｍのような、少なくとも約３．０ｍｍの厚さを有することができる。また他の実施例によれば、二次封じ込めナット１５０の外壁は、約１９．７５ｍｍ以下、又は、約１９．５ｍｍ以下、又は、約１９．２５ｍｍ以下、又は、約１９．０ｍｍ以下、又は、約１８．７５ｍｍ以下、又は、約１８．５ｍｍ以下、又は、約１８．２５ｍｍ以下、又は、約１８．０ｍｍ以下、又は、約１７．７５ｍｍ以下、又は、約１７．５ｍｍ以下、又は、約１７．２５ｍｍ以下、又は、約１７．０ｍｍ以下、又は、約１６．７５ｍｍ以下、又は、約１６．５ｍｍ以下、又は、約１６．０ｍｍ以下、又は、約１５．７５ｍｍ以下、又は、約１５．５ｍｍ以下、又は、約１５．２５ｍｍ以下、又は、約１５．０ｍｍ以下、又は、約１４．７５ｍｍ以下、又は、約１４．５ｍｍ以下、又は、約１４．２５ｍｍ以下、又は、さらには約１４．０ｍｍ以下のような、約２０ｍｍ以下の厚さを有することができる。二次封じ込めナット１５０の外壁の厚さは、上記の値のいずれかの間の範囲内であってもよいことが諒解されよう。二次封じ込めナット１５０の外壁の厚さは、上記の値のいずれかの間のいずれの値であってもよいことがさらに諒解されよう。
【００６５】
さらに他の実施例によれば、二次封じ込めナット１５０は、特定の内径を有することができる。例えば、二次封じ込めナット１５０の内径は、少なくとも約２１．０ｍｍ、又は、少なくとも約２２．０ｍｍ、又は、少なくとも約２３．０ｍｍ、又は、少なくとも約２４．０ｍｍ、又は、少なくとも約２５．０ｍｍ、又は、少なくとも約２６．０ｍｍ、又は、少なくとも約２７．０ｍｍ、又は、少なくとも約２８．０ｍｍ、又は、少なくとも約２９．０ｍｍ、又は、さらには少なくとも約３０．０ｍｍのような、少なくとも約２０．０ｍｍとすることができる。さらに他の実施例によれば、二次封じ込めナット１５０の内径は、約４９ｍｍ以下、又は、約４８ｍｍ以下、約４７ｍｍ以下、又は、約４６ｍｍ以下、又は、約４５ｍｍ以下、又は、約４４ｍｍ以下、又は、約４３ｍｍ以下、又は、約４２ｍｍ以下、又は、約４１ｍｍ以下、又は、さらには約４０ｍｍ以下のような、約５０ｍｍ以下とすることができる。二次封じ込めナット１５０の内径は、上記の値のいずれかの間の範囲内であってもよいことが諒解されよう。二次封じ込めナット１５０の内径は、上記の値のいずれかの間のいずれの値であってもよいことがさらに諒解されよう。
【００６６】
さらに他の実施例によれば、二次封じ込めナット１５０は、特定の外径を有することができる。例えば、二次封じ込めナット１５０の外径は、少なくとも約２１．０ｍｍ、又は、少なくとも約２２．０ｍｍ、又は、少なくとも約２３．０ｍｍ、又は、少なくとも約２４．０ｍｍ、又は、少なくとも約２５．０ｍｍ、又は、少なくとも約２６．０ｍｍ、又は、少なくとも約２７．０ｍｍ、又は、少なくとも約２８．０ｍｍ、又は、少なくとも約２９．０ｍｍ、又は、さらには少なくとも約３０．０ｍｍのような、少なくとも約２０．０ｍｍとすることができる。さらに他の実施例によれば、二次封じ込めナット１５０の外径は、約５９ｍｍ以下、又は、約５８ｍｍ以下、又は、約５７ｍｍ以下、又は、約５６ｍｍ以下、又は、約５５ｍｍ以下、又は、約５４ｍｍ以下、又は、約５３ｍｍ以下、又は、約５２ｍｍ以下、又は、約５１ｍｍ以下、又は、約５０ｍｍ以下、又は、約４９ｍｍ以下、又は、約４８ｍｍ以下、又は、約４７ｍｍ以下、又は、約４６ｍｍ以下、又は、約４５ｍｍ以下、又は、約４４ｍｍ以下、又は、約４３ｍｍ以下、又は、約４２ｍｍ以下、又は、約４１ｍｍ以下、又は、さらには約４０ｍｍ以下のような、約６０ｍｍ以下とすることができる。二次封じ込めナット１５０の外径は、上記の値のいずれかの間の範囲内であってもよいことが諒解されよう。二次封じ込めナット１５０の外径は、上記の値のいずれかの間のいずれの値であってもよいことがさらに諒解されよう。
【００６７】
多くの異なる態様及び実施例が可能である。それらの態様及び実施例の一部が本明細書において説明されている。本明細書を読んだ後、当業者には、それらの態様及び実施例が例示に過ぎず、本発明の範囲を限定しないことが諒解されよう。実施例は、下記に列挙する実施例のいずれか１つ又は複数と関連付けられ得る。
【００６８】
実施例１．二重封じ込め継手であって、張り出し端部を有する一次配管と、張り出し端部を有する二次配管であり、二次配管は、二次配管は、一次配管の第１の部分を取り囲み、これと同心であり、一次配管と二次配管との間に第１の漏れ封じ込め空間が形成される、二次配管と、二重封じ込め本体であり、フレア継手部分と、一次封じ込めナット部分と、二重封じ込め本体を貫通する孔とを備え、フレア継手部分は、一次配管の第２の部分を取り囲み、これと同心であり、一次配管とフレア継手部分との間に第２の漏れ封じ込め空間が形成され、フレア継手部分は、二次配管の張り出し端部と圧入係合し、第１の漏れ封じ込め空間を第２の漏れ封じ込め空間と接続し、一次封じ込めナット部分は、一次配管の張り出し端部を取り囲み、これと同心であり、一次配管と一次封じ込めナット部分との間に第３の漏れ封じ込め空間が形成され、一次封じ込めナット部分は、第３の漏れ封じ込め空間を第２の漏れ封じ込め空間と接続する少なくとも１つの漏れ通路穴を備える、二重封じ込め本体とを備える、二重封じ込め継手。
【００６９】
実施例２．二重封じ込め継手であって、張り出し端部を有する一次配管と、張り出し端部を有する二次配管であり、二次配管は、二次配管は、一次配管の第１の部分を取り囲み、これと同心であり、一次配管と二次配管との間に第１の漏れ封じ込め空間が形成される、二次配管と、二重封じ込め本体であり、フレア継手部分と、一次封じ込めナット部分と、二重封じ込め本体を貫通する孔とを備え、フレア継手部分は、一次配管の第２の部分を取り囲み、これと同心であり、一次配管とフレア継手部分との間に第２の漏れ封じ込め空間が形成され、フレア継手部分は、二次配管の張り出し端部と圧入係合し、第１の漏れ封じ込め空間を第２の漏れ封じ込め空間と接続し、一次封じ込めナット部分は、一次配管の張り出し端部を取り囲み、これと同心であり、一次配管と一次封じ込めナット部分との間に第３の漏れ封じ込め空間が形成され、一次封じ込めナット部分は、第３の漏れ封じ込め空間を第２の漏れ封じ込め空間と接続する少なくとも１つの漏れ通路穴を備える、二重封じ込め本体と、弁アセンブリ環状継手本体であり、第１の端部と、第２の端部と、弁アセンブリ環状継手本体を貫通する孔とを備え、環状継手本体の第１の端部は、一次配管の張り出し端部が環状継手本体の第１の端部内に圧入係合するように、二重封じ込め本体の一次封じ込めナット部分にねじ止め可能に係合される、弁アセンブリ環状継手本体とを備える、二重封じ込め継手アセンブリ。
【００７０】
実施例３．一次配管はポリマー材料を含む、実施例１及び２のいずれか１つに記載の二重封じ込め継手又は二重封じ込め継手アセンブリ。
【００７１】
実施例４．ペルフルオロアルコキシ（ＰＦＡ）を含む、実施例３に記載の二重封じ込め継手又は二重封じ込め継手アセンブリ。
【００７２】
実施例５．一次配管は、少なくとも約１ｍｍ、又は、少なくとも約１．０５ｍｍ、又は、少なくとも約１．１ｍｍ、又は、少なくとも約１．１５ｍｍ、又は、少なくとも約１．２ｍｍ、又は、少なくとも約１．２５ｍｍ、又は、少なくとも約１．３ｍｍ、又は、少なくとも約１．３５ｍｍ、又は、少なくとも約１．４ｍｍ、又は、少なくとも約１．４５ｍｍ、又は、少なくとも約１．５ｍｍの厚さを有する外壁を備える、実施例１及び２のいずれか１つに記載の二重封じ込め継手又は二重封じ込め継手アセンブリ。
【００７３】
実施例６．一次配管は、約２．０ｍｍ以下、又は、約１．９５ｍｍ以下、又は、約１．９ｍｍ以下、又は、約１．８５ｍｍ以下、又は、約１．８ｍｍ以下、又は、約１．７５ｍｍ以下、又は、約１．７ｍｍ以下、又は、約１．６５ｍｍ以下、又は、約１．６ｍｍ以下の厚さを有する外壁を備える、実施例１及び２のいずれか１つに記載の二重封じ込め継手又は二重封じ込め継手アセンブリ。
【００７４】
実施例７．一次配管は、少なくとも約３．０ｍｍ、又は、少なくとも約３．２５ｍｍ、又は、少なくとも約３．５ｍｍ、又は、少なくとも約３．７５ｍｍ、又は、少なくとも約４．０ｍｍ、又は、少なくとも約４．２５ｍｍ、又は、少なくとも約４．５０ｍｍ、又は、少なくとも約４．７５ｍｍ、又は、少なくとも約５．０ｍｍ、又は、少なくとも約５．２５ｍｍ、又は、少なくとも約５．５ｍｍ、又は、少なくとも約５．７５ｍｍ、又は、少なくとも約６．０ｍｍ、又は、少なくとも約６．２５ｍｍ、又は、少なくとも約６．５ｍｍ、又は、少なくとも約６．７５ｍｍ、又は、少なくとも約７．０ｍｍ、又は、少なくとも約７．２５ｍｍ、又は、少なくとも約７．５ｍｍ、又は、少なくとも約７．７５ｍｍ、又は、少なくとも約８．０ｍｍ、又は、少なくとも約８．２５ｍｍ、又は、少なくとも約８．５ｍｍ、又は、少なくとも約８．７５ｍｍ、又は、少なくとも約９．０ｍｍ、又は、少なくとも約９．２５ｍｍ、又は、少なくとも約９．５ｍｍ、又は、少なくとも約９．７５ｍｍ、又は、少なくとも約１０．０ｍｍの平均内径を含む、実施例１及び２のいずれか１つに記載の二重封じ込め継手又は二重封じ込め継手アセンブリ。
【００７５】
実施例８．一次配管は、約２０ｍｍ以下、又は、約１９．７５ｍｍ以下、又は、約１９．５ｍｍ以下、又は、約１９．２５ｍｍ以下、又は、約１９．０ｍｍ以下、又は、約１８．７５ｍｍ以下、又は、約１８．５ｍｍ以下、又は、約１８．２５ｍｍ以下、又は、約１８．０ｍｍ以下、又は、約１７．７５ｍｍ以下、又は、約１７．５ｍｍ以下、又は、約１７．２５ｍｍ以下、又は、約１７．０ｍｍ以下、又は、約１６．７５ｍｍ以下、又は、約１６．５ｍｍ以下、又は、約１６．０ｍｍ以下、又は、約１５．７５ｍｍ以下、又は、約１５．５ｍｍ以下、又は、約１５．２５ｍｍ以下、又は、約１５．０ｍｍ以下、又は、約１４．７５ｍｍ以下、又は、約１４．５ｍｍ以下、又は、約１４．２５ｍｍ以下、又は、約１４．０ｍｍ以下の平均内径を含む、実施例１及び２のいずれか１つに記載の二重封じ込め継手又は二重封じ込め継手アセンブリ。
【００７６】
実施例９．一次配管は、少なくとも約５ｍｍ、又は、少なくとも約５．５ｍｍ、又は、少なくとも約６．０ｍｍ、又は、少なくとも約６．５ｍｍ、又は、少なくとも約７．０ｍｍ、又は、少なくとも約７．５ｍｍ、又は、少なくとも約８．０ｍｍ、又は、少なくとも約８．５ｍｍ、又は、少なくとも約９．０ｍｍ、又は、少なくとも約９．５ｍｍ、又は、少なくとも約１０．０ｍｍ、又は、少なくとも約１０．５ｍｍ、又は、少なくとも約１１ｍｍ、又は、少なくとも約１１．５ｍｍ、又は、少なくとも約１２．０ｍｍ、又は、少なくとも約１２．５ｍｍの平均外径を含む、実施例１及び２のいずれか１つに記載の二重封じ込め継手又は二重封じ込め継手アセンブリ。
【００７７】
実施例１０．一次配管は、約２０ｍｍ以下、又は、約１９．５ｍｍ以下、又は、約１９．０ｍｍ以下、又は、約１８ｍｍ以下、又は、約１８．５ｍｍ以下、又は、約１８ｍｍ以下、又は、約１７．５ｍｍ以下、又は、約１７．０ｍｍ以下、又は、約１６．５ｍｍ以下、又は、約１６．０ｍｍ以下、又は、約１５．５ｍｍ以下、又は、約１５．０ｍｍ以下、又は、約１４．５ｍｍ以下、又は、約１４．０ｍｍ以下、又は、約１３．５ｍｍ以下、又は、約１３ｍｍ以下の平均外径を含む、実施例１及び２のいずれか１つに記載の二重封じ込め継手又は二重封じ込め継手アセンブリ。
【００７８】
実施例１１．一次配管の張り出し端部はポリマー材料を含む、実施例１及び２のいずれか１つに記載の二重封じ込め継手又は二重封じ込め継手アセンブリ。
【００７９】
実施例１２．ポリマー材料はペルフルオロアルコキシ（ＰＦＡ）を含む、実施例１１に記載の二重封じ込め継手又は二重封じ込め継手アセンブリ。
【００８０】
実施例１３．一次配管の張り出し端部は、少なくとも約１ｍｍ、又は、少なくとも約１．０５ｍｍ、又は、少なくとも約１．１ｍｍ、又は、少なくとも約１．１５ｍｍ、又は、少なくとも約１．２ｍｍ、又は、少なくとも約１．２５ｍｍ、又は、少なくとも約１．３ｍｍ、又は、少なくとも約１．３５ｍｍ、又は、少なくとも約１．４ｍｍ、又は、少なくとも約１．４５ｍｍ、又は、少なくとも約１．５ｍｍの厚さを有する外壁を備える、実施例１及び２のいずれか１つに記載の二重封じ込め継手又は二重封じ込め継手アセンブリ。
【００８１】
実施例１４．一次配管の張り出し端部は、約２．０ｍｍ以下、又は、約１．９５ｍｍ以下、又は、約１．９ｍｍ以下、又は、約１．８５ｍｍ以下、又は、約１．８ｍｍ以下、又は、約１．７５ｍｍ以下、又は、約１．７ｍｍ以下、又は、約１．６５ｍｍ以下、又は、約１．６ｍｍ以下の厚さを有する外壁を備える、実施例１及び２のいずれか１つに記載の二重封じ込め継手又は二重封じ込め継手アセンブリ。
【００８２】
実施例１５．一次配管の張り出し端部は、少なくとも約５．０ｍｍ、又は、少なくとも約５．５ｍｍ、又は、少なくとも約６．０ｍｍ、又は、少なくとも約６．５ｍｍ、又は、少なくとも約７．０ｍｍ、又は、少なくとも約７．５ｍｍ、又は、少なくとも約８．０ｍｍ、又は、少なくとも約８．５ｍｍ、又は、少なくとも約９．０ｍｍ、又は、少なくとも約９．５ｍｍ、又は、少なくとも約１０．０ｍｍ、又は、少なくとも約１０．５ｍｍ、又は、少なくとも約１１．０ｍｍ、又は、少なくとも約１１．５ｍｍ、又は、少なくとも約１２．０ｍｍ、又は、少なくとも約１２．５ｍｍの最大内径を含む、実施例１及び２のいずれか１つに記載の二重封じ込め継手又は二重封じ込め継手アセンブリ。
【００８３】
実施例１６．一次配管の張り出し端部は、約２５．０ｍｍ以下、又は、約２４．５ｍｍ以下、又は、約２４．０ｍｍ以下、又は、約２３．５ｍｍ以下、又は、約２３．０ｍｍ以下、又は、約２２．５ｍｍ以下、又は、約２２．０ｍｍ以下、又は、約２１．５ｍｍ以下、又は、約２１．０ｍｍ以下、又は、約２０．５ｍｍ以下、又は、約２０．０ｍｍ以下、又は、約１９．５ｍｍ以下、又は、約１９．０ｍｍ以下、又は、約１８．５ｍｍ以下、又は、約１８．０ｍｍ以下、又は、約１７．５ｍｍ以下、又は、約１７．０ｍｍ以下、又は、約１６．５ｍｍ以下、又は、約１６．０ｍｍ以下、又は、約１５．５ｍｍ以下、又は、約１５．０ｍｍ以下、又は、約１４．５ｍｍ以下、又は、約１４．０ｍｍ以下、又は、約１３．５ｍｍ以下、又は、約１３．０ｍｍ以下の最大内径を含む、実施例１及び２のいずれか１つに記載の二重封じ込め継手又は二重封じ込め継手アセンブリ。
【００８４】
実施例１７．一次配管の張り出し端部は、少なくとも約５．０ｍｍ、又は、少なくとも約５．５ｍｍ、又は、少なくとも約６．０ｍｍ、又は、少なくとも約６．５ｍｍ、又は、少なくとも約７．０ｍｍ、又は、少なくとも約７．５ｍｍ、又は、少なくとも約８．０ｍｍ、又は、少なくとも約８．５ｍｍ、又は、少なくとも約９．０ｍｍ、又は、少なくとも約９．５ｍｍ、又は、少なくとも約１０．０ｍｍ、又は、少なくとも約１０．５ｍｍ、又は、少なくとも約１１．０ｍｍ、又は、少なくとも約１１．５ｍｍ、又は、少なくとも約１２．０ｍｍ、又は、少なくとも約１２．５ｍｍの最小内径を含む、実施例１及び２のいずれか１つに記載の二重封じ込め継手又は二重封じ込め継手アセンブリ。
【００８５】
実施例１８．一次配管の張り出し端部は、約２５．０ｍｍ以下、又は、約２４．５ｍｍ以下、又は、約２４．０ｍｍ以下、又は、約２３．５ｍｍ以下、又は、約２３．０ｍｍ以下、又は、約２２．５ｍｍ以下、又は、約２２．０ｍｍ以下、又は、約２１．５ｍｍ以下、又は、約２１．０ｍｍ以下、又は、約２０．５ｍｍ以下、又は、約２０．０ｍｍ以下、又は、約１９．５ｍｍ以下、又は、約１９．０ｍｍ以下、又は、約１８．５ｍｍ以下、又は、約１８．０ｍｍ以下、又は、約１７．５ｍｍ以下、又は、約１７．０ｍｍ以下、又は、約１６．５ｍｍ以下、又は、約１６．０ｍｍ以下、又は、約１５．５ｍｍ以下、又は、約１５．０ｍｍ以下、又は、約１４．５ｍｍ以下、又は、約１４．０ｍｍ以下、又は、約１３．５ｍｍ以下、又は、約１３．０ｍｍ以下の最小内径を含む、実施例１及び２のいずれか１つに記載の二重封じ込め継手又は二重封じ込め継手アセンブリ。
【００８６】
実施例１９．一次配管の張り出し端部は、少なくとも約５．０ｍｍ、又は、少なくとも約５．５ｍｍ、又は、少なくとも約６．０ｍｍ、又は、少なくとも約６．５ｍｍ、又は、少なくとも約７．０ｍｍ、又は、少なくとも約７．５ｍｍ、又は、少なくとも約８．０ｍｍ、又は、少なくとも約８．５ｍｍ、又は、少なくとも約９．０ｍｍ、又は、少なくとも約９．５ｍｍ、又は、少なくとも約１０．０ｍｍ、又は、少なくとも約１０．５ｍｍ、又は、少なくとも約１１．０ｍｍ、又は、少なくとも約１１．５ｍｍ、又は、少なくとも約１２．０ｍｍ、又は、少なくとも約１２．５ｍｍの最大外径を含む、実施例１及び２のいずれか１つに記載の二重封じ込め継手又は二重封じ込め継手アセンブリ。
【００８７】
実施例２０．一次配管の張り出し端部は、約２５．０ｍｍ以下、又は、約２４．５ｍｍ以下、又は、約２４．０ｍｍ以下、又は、約２３．５ｍｍ以下、又は、約２３．０ｍｍ以下、又は、約２２．５ｍｍ以下、又は、約２２．０ｍｍ以下、又は、約２１．５ｍｍ以下、又は、約２１．０ｍｍ以下、又は、約２０．５ｍｍ以下、又は、約２０．０ｍｍ以下、又は、約１９．５ｍｍ以下、又は、約１９．０ｍｍ以下、又は、約１８．５ｍｍ以下、又は、約１８．０ｍｍ以下、又は、約１７．５ｍｍ以下、又は、約１７．０ｍｍ以下、又は、約１６．５ｍｍ以下、又は、約１６．０ｍｍ以下、又は、約１５．５ｍｍ以下、又は、約１５．０ｍｍ以下、又は、約１４．５ｍｍ以下、又は、約１４．０ｍｍ以下、又は、約１３．５ｍｍ以下、又は、約１３．０ｍｍ以下の最大外径を含む、実施例１及び２のいずれか１つに記載の二重封じ込め継手又は二重封じ込め継手アセンブリ。
【００８８】
実施例２１．一次配管の第１の部分はポリマー材料を含む、実施例１及び２のいずれか１つに記載の二重封じ込め継手又は二重封じ込め継手アセンブリ。
【００８９】
実施例２２．ポリマー材料はペルフルオロアルコキシ（ＰＦＡ）を含む、実施例２１に記載の二重封じ込め継手又は二重封じ込め継手アセンブリ。
【００９０】
実施例２３．一次配管の第１の部分は、少なくとも約１ｍｍ、又は、少なくとも約１．０５ｍｍ、又は、少なくとも約１．１ｍｍ、又は、少なくとも約１．１５ｍｍ、又は、少なくとも約１．２ｍｍ、又は、少なくとも約１．２５ｍｍ、又は、少なくとも約１．３ｍｍ、又は、少なくとも約１．３５ｍｍ、又は、少なくとも約１．４ｍｍ、又は、少なくとも約１．４５ｍｍ、又は、少なくとも約１．５ｍｍの厚さを有する外壁を備える、実施例１及び２のいずれか１つに記載の二重封じ込め継手又は二重封じ込め継手アセンブリ。
【００９１】
実施例２４．一次配管の第１の部分は、約２．０ｍｍ以下、又は、約１．９５ｍｍ以下、又は、約１．９ｍｍ以下、又は、約１．８５ｍｍ以下、又は、約１．８ｍｍ以下、又は、約１．７５ｍｍ以下、又は、約１．７ｍｍ以下、又は、約１．６５ｍｍ以下、又は、約１．６ｍｍ以下の厚さを有する外壁を備える、実施例１及び２のいずれか１つに記載の二重封じ込め継手又は二重封じ込め継手アセンブリ。
【００９２】
実施例２５．一次配管の第１の部分は、少なくとも約３．０ｍｍ、又は、少なくとも約３．２５ｍｍ、又は、少なくとも約３．５ｍｍ、又は、少なくとも約３．７５ｍｍ、又は、少なくとも約４．０ｍｍ、又は、少なくとも約４．２５ｍｍ、又は、少なくとも約４．５０ｍｍ、又は、少なくとも約４．７５ｍｍ、又は、少なくとも約５．０ｍｍ、又は、少なくとも約５．２５ｍｍ、又は、少なくとも約５．５ｍｍ、又は、少なくとも約５．７５ｍｍ、又は、少なくとも約６．０ｍｍ、又は、少なくとも約６．２５ｍｍ、又は、少なくとも約６．５ｍｍ、又は、少なくとも約６．７５ｍｍ、又は、少なくとも約７．０ｍｍ、又は、少なくとも約７．２５ｍｍ、又は、少なくとも約７．５ｍｍ、又は、少なくとも約７．７５ｍｍ、又は、少なくとも約８．０ｍｍ、又は、少なくとも約８．２５ｍｍ、又は、少なくとも約８．５ｍｍ、又は、少なくとも約８．７５ｍｍ、又は、少なくとも約９．０ｍｍ、又は、少なくとも約９．２５ｍｍ、又は、少なくとも約９．５ｍｍ、又は、少なくとも約９．７５ｍｍ、又は、少なくとも約１０．０ｍｍの内径を含む、実施例１及び２のいずれか１つに記載の二重封じ込め継手又は二重封じ込め継手アセンブリ。
【００９３】
実施例２６．一次配管の第１の部分は、約２０ｍｍ以下、又は、約１９．７５ｍｍ以下、又は、約１９．５ｍｍ以下、又は、約１９．２５ｍｍ以下、又は、約１９．０ｍｍ以下、又は、約１８．７５ｍｍ以下、又は、約１８．５ｍｍ以下、又は、約１８．２５ｍｍ以下、又は、約１８．０ｍｍ以下、又は、約１７．７５ｍｍ以下、又は、約１７．５ｍｍ以下、又は、約１７．２５ｍｍ以下、又は、約１７．０ｍｍ以下、又は、約１６．７５ｍｍ以下、又は、約１６．５ｍｍ以下、又は、約１６．０ｍｍ以下、又は、約１５．７５ｍｍ以下、又は、約１５．５ｍｍ以下、又は、約１５．２５ｍｍ以下、又は、約１５．０ｍｍ以下、又は、約１４．７５ｍｍ以下、又は、約１４．５ｍｍ以下、又は、約１４．２５ｍｍ以下、又は、約１４．０ｍｍ以下の内径を含む、実施例１及び２のいずれか１つに記載の二重封じ込め継手又は二重封じ込め継手アセンブリ。
【００９４】
実施例２７．一次配管の第１の部分は、少なくとも約５ｍｍ、又は、少なくとも約５．５ｍｍ、又は、少なくとも約６．０ｍｍ、又は、少なくとも約６．５ｍｍ、又は、少なくとも約７．０ｍｍ、又は、少なくとも約７．５ｍｍ、又は、少なくとも約８．０ｍｍ、又は、少なくとも約８．５ｍｍ、又は、少なくとも約９．０ｍｍ、又は、少なくとも約９．５ｍｍ、又は、少なくとも約１０．０ｍｍ、又は、少なくとも約１０．５ｍｍ、又は、少なくとも約１１ｍｍ、又は、少なくとも約１１．５ｍｍ、又は、少なくとも約１２．０ｍｍ、又は、少なくとも約１２．５ｍｍの外径を含む、実施例１及び２のいずれか１つに記載の二重封じ込め継手又は二重封じ込め継手アセンブリ。
【００９５】
実施例２８．一次配管の第１の部分は、約２０ｍｍ以下、又は、約１９．５ｍｍ以下、又は、約１９．０ｍｍ以下、又は、約１８ｍｍ以下、又は、約１８．５ｍｍ以下、又は、約１８ｍｍ以下、又は、約１７．５ｍｍ以下、又は、約１７．０ｍｍ以下、又は、約１６．５ｍｍ以下、又は、約１６．０ｍｍ以下、又は、約１５．５ｍｍ以下、又は、約１５．０ｍｍ以下、又は、約１４．５ｍｍ以下、又は、約１４．０ｍｍ以下、又は、約１３．５ｍｍ以下、又は、約１３ｍｍ以下の外径を含む、実施例１及び２のいずれか１つに記載の二重封じ込め継手又は二重封じ込め継手アセンブリ。
【００９６】
実施例２９．一次配管の第２の部分はポリマー材料を含む、実施例１及び２のいずれか１つに記載の二重封じ込め継手又は二重封じ込め継手アセンブリ。
【００９７】
実施例３０．ポリマー材料はペルフルオロアルコキシ（ＰＦＡ）を含む、実施例２９に記載の二重封じ込め継手又は二重封じ込め継手アセンブリ。
【００９８】
実施例３１．一次配管の第２の部分は、少なくとも約１ｍｍ、又は、少なくとも約１．０５ｍｍ、又は、少なくとも約１．１ｍｍ、又は、少なくとも約１．１５ｍｍ、又は、少なくとも約１．２ｍｍ、又は、少なくとも約１．２５ｍｍ、又は、少なくとも約１．３ｍｍ、又は、少なくとも約１．３５ｍｍ、又は、少なくとも約１．４ｍｍ、又は、少なくとも約１．４５ｍｍ、又は、少なくとも約１．５ｍｍの厚さを有する外壁を備える、実施例１及び２のいずれか１つに記載の二重封じ込め継手又は二重封じ込め継手アセンブリ。
【００９９】
実施例３２．一次配管の第２の部分は、約２．０ｍｍ以下、又は、約１．９５ｍｍ以下、又は、約１．９ｍｍ以下、又は、約１．８５ｍｍ以下、又は、約１．８ｍｍ以下、又は、約１．７５ｍｍ以下、又は、約１．７ｍｍ以下、又は、約１．６５ｍｍ以下、又は、約１．６ｍｍ以下の厚さを有する外壁を備える、実施例１及び２のいずれか１つに記載の二重封じ込め継手又は二重封じ込め継手アセンブリ。
【０１００】
実施例３３．一次配管の第２の部分は、少なくとも約３．０ｍｍ、又は、少なくとも約３．２５ｍｍ、又は、少なくとも約３．５ｍｍ、又は、少なくとも約３．７５ｍｍ、又は、少なくとも約４．０ｍｍ、又は、少なくとも約４．２５ｍｍ、又は、少なくとも約４．５０ｍｍ、又は、少なくとも約４．７５ｍｍ、又は、少なくとも約５．０ｍｍ、又は、少なくとも約５．２５ｍｍ、又は、少なくとも約５．５ｍｍ、又は、少なくとも約５．７５ｍｍ、又は、少なくとも約６．０ｍｍ、又は、少なくとも約６．２５ｍｍ、又は、少なくとも約６．５ｍｍ、又は、少なくとも約６．７５ｍｍ、又は、少なくとも約７．０ｍｍ、又は、少なくとも約７．２５ｍｍ、又は、少なくとも約７．５ｍｍ、又は、少なくとも約７．７５ｍｍ、又は、少なくとも約８．０ｍｍ、又は、少なくとも約８．２５ｍｍ、又は、少なくとも約８．５ｍｍ、又は、少なくとも約８．７５ｍｍ、又は、少なくとも約９．０ｍｍ、又は、少なくとも約９．２５ｍｍ、又は、少なくとも約９．５ｍｍ、又は、少なくとも約９．７５ｍｍ、又は、少なくとも約１０．０ｍｍの内径を含む、実施例１及び２のいずれか１つに記載の二重封じ込め継手又は二重封じ込め継手アセンブリ。
【０１０１】
実施例３４．一次配管の第２の部分は、約２０ｍｍ以下、又は、約１９．７５ｍｍ以下、又は、約１９．５ｍｍ以下、又は、約１９．２５ｍｍ以下、又は、約１９．０ｍｍ以下、又は、約１８．７５ｍｍ以下、又は、約１８．５ｍｍ以下、又は、約１８．２５ｍｍ以下、又は、約１８．０ｍｍ以下、又は、約１７．７５ｍｍ以下、又は、約１７．５ｍｍ以下、又は、約１７．２５ｍｍ以下、又は、約１７．０ｍｍ以下、又は、約１６．７５ｍｍ以下、又は、約１６．５ｍｍ以下、又は、約１６．０ｍｍ以下、又は、約１５．７５ｍｍ以下、又は、約１５．５ｍｍ以下、又は、約１５．２５ｍｍ以下、又は、約１５．０ｍｍ以下、又は、約１４．７５ｍｍ以下、又は、約１４．５ｍｍ以下、又は、約１４．２５ｍｍ以下、又は、約１４．０ｍｍ以下の内径を含む、実施例１及び２のいずれか１つに記載の二重封じ込め継手又は二重封じ込め継手アセンブリ。
【０１０２】
実施例３５．一次配管の第２の部分は、少なくとも約５ｍｍ、又は、少なくとも約５．５ｍｍ、又は、少なくとも約６．０ｍｍ、又は、少なくとも約６．５ｍｍ、又は、少なくとも約７．０ｍｍ、又は、少なくとも約７．５ｍｍ、又は、少なくとも約８．０ｍｍ、又は、少なくとも約８．５ｍｍ、又は、少なくとも約９．０ｍｍ、又は、少なくとも約９．５ｍｍ、又は、少なくとも約１０．０ｍｍ、又は、少なくとも約１０．５ｍｍ、又は、少なくとも約１１ｍｍ、又は、少なくとも約１１．５ｍｍ、又は、少なくとも約１２．０ｍｍ、又は、少なくとも約１２．５ｍｍの外径を含む、実施例１及び２のいずれか１つに記載の二重封じ込め継手又は二重封じ込め継手アセンブリ。
【０１０３】
実施例３６．一次配管の第２の部分は、約２０ｍｍ以下、又は、約１９．５ｍｍ以下、又は、約１９．０ｍｍ以下、又は、約１８ｍｍ以下、又は、約１８．５ｍｍ以下、又は、約１８ｍｍ以下、又は、約１７．５ｍｍ以下、又は、約１７．０ｍｍ以下、又は、約１６．５ｍｍ以下、又は、約１６．０ｍｍ以下、又は、約１５．５ｍｍ以下、又は、約１５．０ｍｍ以下、又は、約１４．５ｍｍ以下、又は、約１４．０ｍｍ以下、又は、約１３．５ｍｍ以下、又は、約１３ｍｍ以下の外径を含む、実施例１及び２のいずれか１つに記載の二重封じ込め継手又は二重封じ込め継手アセンブリ。
【０１０４】
実施例３７．二次配管はポリマー材料を含む、実施例１及び２のいずれか１つに記載の二重封じ込め継手又は二重封じ込め継手アセンブリ。
【０１０５】
実施例３８．ポリマー材料はペルフルオロアルコキシ（ＰＦＡ）を含む、実施例３７に記載の二重封じ込め継手又は二重封じ込め継手アセンブリ。
【０１０６】
実施例３９．二次配管は、少なくとも約１ｍｍ、又は、少なくとも約１．０５ｍｍ、又は、少なくとも約１．１ｍｍ、又は、少なくとも約１．１５ｍｍ、又は、少なくとも約１．２ｍｍ、又は、少なくとも約１．２５ｍｍ、又は、少なくとも約１．３ｍｍ、又は、少なくとも約１．３５ｍｍ、又は、少なくとも約１．４ｍｍ、又は、少なくとも約１．４５ｍｍ、又は、少なくとも約１．５ｍｍの厚さを有する外壁を備える、実施例１及び２のいずれか１つに記載の二重封じ込め継手又は二重封じ込め継手アセンブリ。
【０１０７】
実施例４０．一次配管は、約２．０ｍｍ以下、又は、約１．９５ｍｍ以下、又は、約１．９ｍｍ以下、又は、約１．８５ｍｍ以下、又は、約１．８ｍｍ以下、又は、約１．７５ｍｍ以下、又は、約１．７ｍｍ以下、又は、約１．６５ｍｍ以下、又は、約１．６ｍｍ以下の厚さを有する外壁を備える、実施例１及び２のいずれか１つに記載の二重封じ込め継手又は二重封じ込め継手アセンブリ。
【０１０８】
実施例４１．二次配管は、少なくとも約５．０ｍｍ、又は、少なくとも約５．５ｍｍ、又は、少なくとも約６．０ｍｍ、又は、少なくとも約６．５ｍｍ、又は、少なくとも約７．０ｍｍ、又は、少なくとも約７．５ｍｍ、又は、少なくとも約８．０ｍｍ、又は、少なくとも約８．５ｍｍ、又は、少なくとも約９．０ｍｍ、又は、少なくとも約９．５ｍｍ、又は、少なくとも約１０．０ｍｍ、又は、少なくとも約１０．５ｍｍ、又は、少なくとも約１１．０ｍｍ、又は、少なくとも約１１．５ｍｍ、又は、少なくとも約１２．０ｍｍ、又は、少なくとも約１２．５ｍｍの平均内径を含む、実施例１及び２のいずれか１つに記載の二重封じ込め継手又は二重封じ込め継手アセンブリ。
【０１０９】
実施例４２．二次配管は、約３０．０ｍｍ以下、又は、約２９．５以下、又は、約２９．０ｍｍ以下、又は、約２８．５ｍｍ以下、又は、約２８ｍｍ以下、又は、約２７．５ｍｍ以下、又は、約２７．０ｍｍ以下、又は、約２６．５ｍｍ以下、又は、約２６．０ｍｍ以下、又は、約２５．５ｍｍ以下、又は、約２５．０ｍｍ以下、又は、約２４．５ｍｍ以下、又は、約２４．０ｍｍ以下、又は、約２３．５ｍｍ以下、又は、約２３．０ｍｍ以下、又は、約２２．５ｍｍ以下、又は、約２２．０ｍｍ以下、又は、約２１．５ｍｍ以下、又は、約２１．０ｍｍ以下、又は、約２０．５ｍｍ以下、又は、約２０．０ｍｍ以下、又は、約１９．５ｍｍ以下、又は、約１９．０ｍｍ以下、又は、約１８．５ｍｍ以下、又は、約１８．０ｍｍ以下、又は、約１７．５ｍｍ以下、又は、約１７．０ｍｍ以下、又は、約１６．５ｍｍ以下、又は、約１６．０ｍｍ以下、又は、約１５．５ｍｍ以下、又は、約１５．０ｍｍ以下、又は、約１４．５ｍｍ以下、又は、約１４．０ｍｍ以下、又は、約１３．５ｍｍ以下、又は、約１３．０ｍｍ以下の平均内径を含む、実施例１及び２のいずれか１つに記載の二重封じ込め継手又は二重封じ込め継手アセンブリ。
【０１１０】
実施例４３．二次配管は、少なくとも約１０ｍｍ、又は、少なくとも約１０．５ｍｍ、又は、少なくとも約１１．５ｍｍ、又は、少なくとも約１２．０ｍｍ、又は、少なくとも約１２．５ｍｍ、又は、少なくとも約１３．０ｍｍ、又は、少なくとも約１３．５ｍｍ、又は、少なくとも約１４．０ｍｍ、又は、少なくとも約１４．５ｍｍ、又は、少なくとも約１５．０ｍｍ、又は、少なくとも約１５．５ｍｍ、又は、少なくとも約１６．０ｍｍ、又は、少なくとも約１６．５ｍｍ、又は、少なくとも約１７．０ｍｍ、又は、少なくとも約１７．５ｍｍ、又は、少なくとも約１８．０ｍｍ、又は、少なくとも約１８．５ｍｍ、又は、少なくとも約１９．０ｍｍ、又は、少なくとも約１９．５ｍｍ、又は、少なくとも約２０ｍｍ、又は、少なくとも約２０．５ｍｍ、又は、少なくとも約２１．０ｍｍ、又は、少なくとも約２１．５ｍｍ、又は、少なくとも約２２．０ｍｍ、又は、少なくとも約２２．５ｍｍの平均外径を含む、実施例１及び２のいずれか１つに記載の二重封じ込め継手又は二重封じ込め継手アセンブリ。
【０１１１】
実施例４４．二次配管は、約３５ｍｍ以下、又は、約３４．５ｍｍ以下、又は、約３４．０ｍｍ以下、又は、約３３．５ｍｍ以下、又は、約３３．０ｍｍ以下、又は、約３２．５ｍｍ以下、又は、約３２．０ｍｍ以下、又は、約３１．５ｍｍ以下、又は、約３１．０ｍｍ以下、又は、約３０．５ｍｍ以下、又は、約３０．０ｍｍ以下、又は、約２９．５ｍｍ以下、又は、約２９．０ｍｍ以下、又は、約２８．５ｍｍ以下、又は、約２８．０ｍｍ以下、又は、約２７．５ｍｍ以下、又は、約２７．０ｍｍ以下、又は、約２６．５ｍｍ以下、又は、約２６．０ｍｍ以下、又は、約２５．５ｍｍ以下、又は、約２５．０ｍｍ以下、又は、約２４．５ｍｍ以下、又は、約２４．０ｍｍ以下、又は、約２３．５ｍｍ以下、又は、約２３．０ｍｍ以下の平均外径を含む、実施例１及び２のいずれか１つに記載の二重封じ込め継手又は二重封じ込め継手アセンブリ。
【０１１２】
実施例４５．二次配管の張り出し端部はポリマー材料を含む、実施例１及び２のいずれか１つに記載の二重封じ込め継手又は二重封じ込め継手アセンブリ。
【０１１３】
実施例４６．ポリマー材料はペルフルオロアルコキシ（ＰＦＡ）を含む、実施例４５に記載の二重封じ込め継手又は二重封じ込め継手アセンブリ。
【０１１４】
実施例４７．二次配管の張り出し端部は、少なくとも約１ｍｍ、又は、少なくとも約１．０５ｍｍ、又は、少なくとも約１．１ｍｍ、又は、少なくとも約１．１５ｍｍ、又は、少なくとも約１．２ｍｍ、又は、少なくとも約１．２５ｍｍ、又は、少なくとも約１．３ｍｍ、又は、少なくとも約１．３５ｍｍ、又は、少なくとも約１．４ｍｍ、又は、少なくとも約１．４５ｍｍ、又は、少なくとも約１．５ｍｍの厚さを有する外壁を備える、実施例１及び２のいずれか１つに記載の二重封じ込め継手又は二重封じ込め継手アセンブリ。
【０１１５】
実施例４８．二次配管の張り出し端部は、約２．０ｍｍ以下、又は、約１．９５ｍｍ以下、又は、約１．９ｍｍ以下、又は、約１．８５ｍｍ以下、又は、約１．８ｍｍ以下、又は、約１．７５ｍｍ以下、又は、約１．７ｍｍ以下、又は、約１．６５ｍｍ以下、又は、約１．６ｍｍ以下の厚さを有する外壁を備える、実施例１及び２のいずれか１つに記載の二重封じ込め継手又は二重封じ込め継手アセンブリ。
【０１１６】
実施例４９．二次配管の張り出し端部は、少なくとも約１０ｍｍ、又は、少なくとも約１０．５ｍｍ、又は、少なくとも約１１．５ｍｍ、又は、少なくとも約１２．０ｍｍ、又は、少なくとも約１２．５ｍｍ、又は、少なくとも約１３．０ｍｍ、又は、少なくとも約１３．５ｍｍ、又は、少なくとも約１４．０ｍｍ、又は、少なくとも約１４．５ｍｍ、又は、少なくとも約１５．０ｍｍ、又は、少なくとも約１５．５ｍｍ、又は、少なくとも約１６．０ｍｍ、又は、少なくとも約１６．５ｍｍ、又は、少なくとも約１７．０ｍｍ、又は、少なくとも約１７．５ｍｍ、又は、少なくとも約１８．０ｍｍ、又は、少なくとも約１８．５ｍｍ、又は、少なくとも約１９．０ｍｍ、又は、少なくとも約１９．５ｍｍ、又は、少なくとも約２０ｍｍ、又は、少なくとも約２０．５ｍｍ、又は、少なくとも約２１．０ｍｍ、又は、少なくとも約２１．５ｍｍ、又は、少なくとも約２２．０ｍｍ、又は、少なくとも約２２．５ｍｍの最大内径を含む、実施例１及び２のいずれか１つに記載の二重封じ込め継手又は二重封じ込め継手アセンブリ。
【０１１７】
実施例５０．二次配管の張り出し端部は、約４０ｍｍ以下、又は、約３９．５ｍｍ以下、又は、約３９．０ｍｍ以下、又は、約３８．５ｍｍ以下、又は、約３８．０ｍｍ以下、又は、約３７ｍｍ以下、又は、約３６．５ｍｍ以下、又は、約３６ｍｍ以下、又は、約３５．５ｍｍ以下、又は、約３５ｍｍ以下、又は、約３４．５ｍｍ以下、又は、約３４．０ｍｍ以下、又は、約３３．５ｍｍ以下、又は、約３３．０ｍｍ以下、又は、約３２．５ｍｍ以下、又は、約３２．０ｍｍ以下、又は、約３１．５ｍｍ以下、又は、約３１．０ｍｍ以下、又は、約３０．５ｍｍ以下、又は、約３０．０ｍｍ以下、又は、約２９．５ｍｍ以下、又は、約２９．０ｍｍ以下、又は、約２８．５ｍｍ以下、又は、約２８．０ｍｍ以下、又は、約２７．５ｍｍ以下、又は、約２７．０ｍｍ以下、又は、約２６．５ｍｍ以下、又は、約２６．０ｍｍ以下、又は、約２５．５ｍｍ以下、又は、約２５．０ｍｍ以下、又は、約２４．５ｍｍ以下、又は、約２４．０ｍｍ以下、又は、約２３．５ｍｍ以下、又は、約２３．０ｍｍ以下の最大内径を含む、実施例１及び２のいずれか１つに記載の二重封じ込め継手又は二重封じ込め継手アセンブリ。
【０１１８】
実施例５１．二次配管の張り出し端部は、少なくとも約１０ｍｍ、又は、少なくとも約１０．５ｍｍ、又は、少なくとも約１１．５ｍｍ、又は、少なくとも約１２．０ｍｍ、又は、少なくとも約１２．５ｍｍ、又は、少なくとも約１３．０ｍｍ、又は、少なくとも約１３．５ｍｍ、又は、少なくとも約１４．０ｍｍ、又は、少なくとも約１４．５ｍｍ、又は、少なくとも約１５．０ｍｍ、又は、少なくとも約１５．５ｍｍ、又は、少なくとも約１６．０ｍｍ、又は、少なくとも約１６．５ｍｍ、又は、少なくとも約１７．０ｍｍ、又は、少なくとも約１７．５ｍｍ、又は、少なくとも約１８．０ｍｍ、又は、少なくとも約１８．５ｍｍ、又は、少なくとも約１９．０ｍｍ、又は、少なくとも約１９．５ｍｍ、又は、少なくとも約２０ｍｍ、又は、少なくとも約２０．５ｍｍ、又は、少なくとも約２１．０ｍｍ、又は、少なくとも約２１．５ｍｍ、又は、少なくとも約２２．０ｍｍ、又は、少なくとも約２２．５ｍｍの最小内径を含む、実施例１及び２のいずれか１つに記載の二重封じ込め継手又は二重封じ込め継手アセンブリ。
【０１１９】
実施例５２．二次配管の張り出し端部は、約４０ｍｍ以下、又は、約３９．５ｍｍ以下、又は、約３９．０ｍｍ以下、又は、約３８．５ｍｍ以下、又は、約３８．０ｍｍ以下、又は、約３７ｍｍ以下、又は、約３６．５ｍｍ以下、又は、約３６ｍｍ以下、又は、約３５．５ｍｍ以下、又は、約３５ｍｍ以下、又は、約３４．５ｍｍ以下、又は、約３４．０ｍｍ以下、又は、約３３．５ｍｍ以下、又は、約３３．０ｍｍ以下、又は、約３２．５ｍｍ以下、又は、約３２．０ｍｍ以下、又は、約３１．５ｍｍ以下、又は、約３１．０ｍｍ以下、又は、約３０．５ｍｍ以下、又は、約３０．０ｍｍ以下、又は、約２９．５ｍｍ以下、又は、約２９．０ｍｍ以下、又は、約２８．５ｍｍ以下、又は、約２８．０ｍｍ以下、又は、約２７．５ｍｍ以下、又は、約２７．０ｍｍ以下、又は、約２６．５ｍｍ以下、又は、約２６．０ｍｍ以下、又は、約２５．５ｍｍ以下、又は、約２５．０ｍｍ以下、又は、約２４．５ｍｍ以下、又は、約２４．０ｍｍ以下、又は、約２３．５ｍｍ以下、又は、約２３．０ｍｍ以下の最小内径を含む、実施例１及び２のいずれか１つに記載の二重封じ込め継手又は二重封じ込め継手アセンブリ。
【０１２０】
実施例５３．二次配管の張り出し端部は、少なくとも約１５．０ｍｍ、又は、少なくとも約１５．５ｍｍ、又は、少なくとも約１６．０ｍｍ、又は、少なくとも約１６．５ｍｍ、又は、少なくとも約１７．０ｍｍ、又は、少なくとも約１７．５ｍｍ、又は、少なくとも約１８．０ｍｍ、又は、少なくとも約１８．５ｍｍ、又は、少なくとも約１９．０ｍｍ、又は、少なくとも約１９．５ｍｍ、又は、少なくとも約２０ｍｍ、又は、少なくとも約２０．５ｍｍ、又は、少なくとも約２１．０ｍｍ、又は、少なくとも約２１．５ｍｍ、又は、少なくとも約２２．０ｍｍ、又は、少なくとも約２２．５ｍｍの最大外径を含む、実施例１及び２のいずれか１つに記載の二重封じ込め継手又は二重封じ込め継手アセンブリ。
【０１２１】
実施例５４．二次配管の張り出し端部は、約４０ｍｍ以下、又は、約３９．５ｍｍ以下、又は、約３９．０ｍｍ以下、又は、約３８．５ｍｍ以下、又は、約３８．０ｍｍ以下、又は、約３７ｍｍ以下、又は、約３６．５ｍｍ以下、又は、約３６ｍｍ以下、又は、約３５．５ｍｍ以下、又は、約３５ｍｍ以下、又は、約３４．５ｍｍ以下、又は、約３４．０ｍｍ以下、又は、約３３．５ｍｍ以下、又は、約３３．０ｍｍ以下、又は、約３２．５ｍｍ以下、又は、約３２．０ｍｍ以下、又は、約３１．５ｍｍ以下、又は、約３１．０ｍｍ以下、又は、約３０．５ｍｍ以下、又は、約３０．０ｍｍ以下、又は、約２９．５ｍｍ以下、又は、約２９．０ｍｍ以下、又は、約２８．５ｍｍ以下、又は、約２８．０ｍｍ以下、又は、約２７．５ｍｍ以下、又は、約２７．０ｍｍ以下、又は、約２６．５ｍｍ以下、又は、約２６．０ｍｍ以下、又は、約２５．５ｍｍ以下、又は、約２５．０ｍｍ以下、又は、約２４．５ｍｍ以下、又は、約２４．０ｍｍ以下、又は、約２３．５ｍｍ以下、又は、約２３．０ｍｍ以下の最大外径を含む、実施例１及び２のいずれか１つに記載の二重封じ込め継手又は二重封じ込め継手アセンブリ。
【０１２２】
実施例５５．二重封じ込め本体の張り出し継手部分はポリマー材料を含む、実施例１及び２のいずれか１つに記載の二重封じ込め継手又は二重封じ込め継手アセンブリ。
【０１２３】
実施例５６．ポリマー材料はペルフルオロアルコキシ（ＰＦＡ）を含む、実施例５５に記載の二重封じ込め継手又は二重封じ込め継手アセンブリ。
【０１２４】
実施例５７．二重封じ込め本体の張り出し継手部分は、少なくとも約５．０ｍｍ、又は、少なくとも約５．５ｍｍ、又は、少なくとも約６．０ｍｍ、又は、少なくとも約６．５ｍｍ、又は、少なくとも約７．０ｍｍ、又は、少なくとも約７．５ｍｍ、又は、少なくとも約８．０ｍｍ、又は、少なくとも約８．５ｍｍ、又は、少なくとも約９．０ｍｍ、又は、少なくとも約９．５ｍｍ、又は、少なくとも約１０．０ｍｍ、又は、少なくとも約１０．５ｍｍ、又は、少なくとも約１１．０ｍｍ、又は、少なくとも約１１．５ｍｍ、又は、少なくとも約１２．０ｍｍ、又は、少なくとも約１２．５ｍｍの平均内径を含む、実施例１及び２のいずれか１つに記載の二重封じ込め継手又は二重封じ込め継手アセンブリ。
【０１２５】
実施例５８．二重封じ込め本体の張り出し継手部分は、約３０．０ｍｍ以下、又は、約２９．５以下、又は、約２９．０ｍｍ以下、又は、約２８．５ｍｍ以下、又は、約２８ｍｍ以下、又は、約２７．５ｍｍ以下、又は、約２７．０ｍｍ以下、又は、約２６．５ｍｍ以下、又は、約２６．０ｍｍ以下、又は、約２５．５ｍｍ以下、又は、約２５．０ｍｍ以下、又は、約２４．５ｍｍ以下、又は、約２４．０ｍｍ以下、又は、約２３．５ｍｍ以下、又は、約２３．０ｍｍ以下、又は、約２２．５ｍｍ以下、又は、約２２．０ｍｍ以下、又は、約２１．５ｍｍ以下、又は、約２１．０ｍｍ以下、又は、約２０．５ｍｍ以下、又は、約２０．０ｍｍ以下、又は、約１９．５ｍｍ以下、又は、約１９．０ｍｍ以下、又は、約１８．５ｍｍ以下、又は、約１８．０ｍｍ以下、又は、約１７．５ｍｍ以下、又は、約１７．０ｍｍ以下、又は、約１６．５ｍｍ以下、又は、約１６．０ｍｍ以下、又は、約１５．５ｍｍ以下、又は、約１５．０ｍｍ以下、又は、約１４．５ｍｍ以下、又は、約１４．０ｍｍ以下、又は、約１３．５ｍｍ以下、又は、約１３．０ｍｍ以下の平均内径を含む、実施例１及び２のいずれか１つに記載の二重封じ込め継手又は二重封じ込め継手アセンブリ。
【０１２６】
実施例５９．一次封じ込めナット部分はポリマー材料を含む、実施例１及び２のいずれか１つに記載の二重封じ込め継手又は二重封じ込め継手アセンブリ。
【０１２７】
実施例６０．ポリマー材料はペルフルオロアルコキシ（ＰＦＡ）を含む、実施例５９に記載の二重封じ込め継手又は二重封じ込め継手アセンブリ。
【０１２８】
実施例６１．一次封じ込めナット部分は、少なくとも約１ｍｍ、又は、少なくとも約１．０５ｍｍ、又は、少なくとも約１．１ｍｍ、又は、少なくとも約１．１５ｍｍ、又は、少なくとも約１．２ｍｍ、又は、少なくとも約１．２５ｍｍ、又は、少なくとも約１．３ｍｍ、又は、少なくとも約１．３５ｍｍ、又は、少なくとも約１．４ｍｍ、又は、少なくとも約１．４５ｍｍ、又は、少なくとも約１．５ｍｍの厚さを有する外壁を備える、実施例１及び２のいずれか１つに記載の二重封じ込め継手又は二重封じ込め継手アセンブリ。
【０１２９】
実施例６２．一次封じ込めナット部分は、約５．０ｍｍ以下、又は、約４．７５ｍｍ以下、又は、約４．５ｍｍ以下、又は、約４．２５ｍｍ以下、又は、約４．０ｍｍ以下、又は、約３．７５ｍｍ以下、又は、約３．５ｍｍ以下、又は、約３．２５ｍｍ以下、又は、約３．０ｍｍ以下、又は、約２．７５ｍｍ以下、又は、約２．５ｍｍ以下、又は、約２．２５ｍｍ以下、又は、約２．０ｍｍ以下の厚さを有する外壁を備える、実施例１及び２のいずれか１つに記載の二重封じ込め継手又は二重封じ込め継手アセンブリ。
【０１３０】
実施例６３．一次封じ込めナット部分は、少なくとも約１ｍｍ、又は、少なくとも約１．０５ｍｍ、又は、少なくとも約１．１ｍｍ、又は、少なくとも約１．１５ｍｍ、又は、少なくとも約１．２ｍｍ、又は、少なくとも約１．２５ｍｍ、又は、少なくとも約１．３ｍｍ、又は、少なくとも約１．３５ｍｍ、又は、少なくとも約１．４ｍｍ、又は、少なくとも約１．４５ｍｍ、又は、少なくとも約１．５ｍｍの平均内径を含む、実施例１及び２のいずれか１つに記載の二重封じ込め継手又は二重封じ込め継手アセンブリ。
【０１３１】
実施例６４．一次封じ込めナット部分は、約２０ｍｍ以下、又は、約１９．７５ｍｍ以下、又は、約１９．５ｍｍ以下、又は、約１９．２５ｍｍ以下、又は、約１９．０ｍｍ以下、又は、約１８．７５ｍｍ以下、又は、約１８．５ｍｍ以下、又は、約１８．２５ｍｍ以下、又は、約１８．０ｍｍ以下、又は、約１７．７５ｍｍ以下、又は、約１７．５ｍｍ以下、又は、約１７．２５ｍｍ以下、又は、約１７．０ｍｍ以下、又は、約１６．７５ｍｍ以下、又は、約１６．５ｍｍ以下、又は、約１６．０ｍｍ以下、又は、約１５．７５ｍｍ以下、又は、約１５．５ｍｍ以下、又は、約１５．２５ｍｍ以下、又は、約１５．０ｍｍ以下、又は、約１４．７５ｍｍ以下、又は、約１４．５ｍｍ以下、又は、約１４．２５ｍｍ以下、又は、約１４．０ｍｍ以下の平均内径を含む、実施例１及び２のいずれか１つに記載の二重封じ込め継手又は二重封じ込め継手アセンブリ。
【０１３２】
実施例６５．一次封じ込めナット部分は、少なくとも約１５．０ｍｍ、又は、少なくとも約１５．５ｍｍ、又は、少なくとも約１６．０ｍｍ、又は、少なくとも約１６．５ｍｍ、又は、少なくとも約１７．０ｍｍ、又は、少なくとも約１７．５ｍｍ、又は、少なくとも約１８．０ｍｍ、又は、少なくとも約１８．５ｍｍ、又は、少なくとも約１９．０ｍｍ、又は、少なくとも約１９．５ｍｍ、又は、少なくとも約２０ｍｍ、又は、少なくとも約２０．５ｍｍ、又は、少なくとも約２１．０ｍｍ、又は、少なくとも約２１．５ｍｍ、又は、少なくとも約２２．０ｍｍ、又は、少なくとも約２２．５ｍｍの平均外径を含む、実施例１及び２のいずれか１つに記載の二重封じ込め継手又は二重封じ込め継手アセンブリ。
【０１３３】
実施例６６．一次封じ込めナット部分は、約４０ｍｍ以下、又は、約３９．５ｍｍ以下、又は、約３９．０ｍｍ以下、又は、約３８．５ｍｍ以下、又は、約３８．０ｍｍ以下、又は、約３７ｍｍ以下、又は、約３６．５ｍｍ以下、又は、約３６ｍｍ以下、又は、約３５．５ｍｍ以下、又は、約３５ｍｍ以下、又は、約３４．５ｍｍ以下、又は、約３４．０ｍｍ以下、又は、約３３．５ｍｍ以下、又は、約３３．０ｍｍ以下、又は、約３２．５ｍｍ以下、又は、約３２．０ｍｍ以下、又は、約３１．５ｍｍ以下、又は、約３１．０ｍｍ以下、又は、約３０．５ｍｍ以下、又は、約３０．０ｍｍ以下、又は、約２９．５ｍｍ以下、又は、約２９．０ｍｍ以下、又は、約２８．５ｍｍ以下、又は、約２８．０ｍｍ以下、又は、約２７．５ｍｍ以下、又は、約２７．０ｍｍ以下、又は、約２６．５ｍｍ以下、又は、約２６．０ｍｍ以下、又は、約２５．５ｍｍ以下、又は、約２５．０ｍｍ以下、又は、約２４．５ｍｍ以下、又は、約２４．０ｍｍ以下、又は、約２３．５ｍｍ以下、又は、約２３．０ｍｍ以下の平均外径を含む、実施例１及び２のいずれか１つに記載の二重封じ込め継手又は二重封じ込め継手アセンブリ。
【０１３４】
実施例６７．一次封じ込めナット部分は外壁を備え、少なくとも１つの漏れ通路穴が、一次封じ込めナット部分の外壁内に配置されている、実施例１及び２のいずれか１つに記載の二重封じ込め継手又は二重封じ込め継手アセンブリ。
【０１３５】
実施例６８．一次封じ込めナット部分は、一次封じ込めナット部分の外壁内に配置される少なくとも２つの漏れ通路穴、少なくとも３つの漏れ通路穴、少なくとも４つの漏れ通路穴、少なくとも５つの漏れ通路穴、少なくとも６つの漏れ通路穴を備える、実施例６７に記載の二重封じ込め継手又は二重封じ込め継手アセンブリ。
【０１３６】
実施例６９．漏れ通路穴の各々は、一次封じ込めナット部分の外壁の周りに等間隔に離間されている、実施例６８に記載の二重封じ込め継手又は二重封じ込め継手アセンブリ。
【０１３７】
実施例７０．漏れ通路穴の各々は、一方向流体流向けに構成されている、実施例６８に記載の二重封じ込め継手又は二重封じ込め継手アセンブリ。
【０１３８】
実施例７１．漏れ通路穴の各々は、第３の漏れ封じ込め空間から第２の漏れ封じ込め空間への流れを可能にするように構成されている、実施例７０に記載の二重封じ込め継手又は二重封じ込め継手アセンブリ。
【０１３９】
実施例７２．一次封じ込めナット部分は外壁を備え、少なくとも１つの漏れ通路穴が、一次封じ込めナット部分の外壁を通過する、実施例１及び２のいずれか１つに記載の二重封じ込め継手又は二重封じ込め継手アセンブリ。
【０１４０】
実施例７３．少なくとも１つの漏れ通路穴は、少なくとも約０．５ｍｍ、又は、少なくとも約０．６ｍｍ、又は、少なくとも約０．７ｍｍ、又は、少なくとも約０．８ｍｍ、又は、少なくとも約０．９ｍｍ、又は、少なくとも約１．０ｍｍ、又は、少なくとも約１．１ｍｍ、又は、少なくとも約１．２ｍｍの内径を含む、実施例１、２、６７、及び７２のいずれか１つに記載の二重封じ込め継手又は二重封じ込め継手アセンブリ。
【０１４１】
実施例７４．少なくとも１つの漏れ通路穴は、約２．０ｍｍ以下、又は、約１．９５ｍｍ以下、又は、約１．９ｍｍ以下、又は、約１．８５ｍｍ以下、又は、約１．８ｍｍ以下、又は、約１．７５ｍｍ以下、又は、約１．７ｍｍ以下、又は、約１．６５ｍｍ以下、又は、約１．６ｍｍ以下の内径を含む、実施例１、２、６７、及び７２のいずれか１つに記載の二重封じ込め継手又は二重封じ込め継手アセンブリ。
【０１４２】
実施例７５．二重封じ込め継手又は二重封じ込め継手アセンブリは二次封じ込めナットをさらに備える、実施例１及び２のいずれか１つに記載の二重封じ込め継手又は二重封じ込め継手アセンブリ。
【０１４３】
実施例７６．二次封じ込めナットは二次配管の張り出し端部を取り囲み、これと同心である、実施例７５に記載の二重封じ込め継手又は二重封じ込め継手アセンブリ。
【０１４４】
実施例７７．二次封じ込めナットは二重封じ込め本体のフレア継手部分とねじ止め可能に係合する、実施例７６に記載の二重封じ込め継手又は二重封じ込め継手アセンブリ。
【０１４５】
実施例７８．二次封じ込めナットは、二次配管の張り出し端部を二重封じ込め本体のフレア継手部分と圧入係合するように構成されている、実施例７６に記載の二重封じ込め継手又は二重封じ込め継手アセンブリ。
【０１４６】
実施例７９．二次封じ込めナットはポリマー材料を含む、実施例７６に記載の二重封じ込め継手又は二重封じ込め継手アセンブリ。
【０１４７】
実施例８０．ポリマー材料は、ペルフルオロアルコキシ（ＰＦＡ）、エチレンテトラフルオロエチレン（ＥＴＦＥ）又はポリフッ化ビニリデン（ＰＶＤＦ）を含む、実施例７９に記載の二重封じ込め継手又は二重封じ込め継手アセンブリ。
【０１４８】
実施例８１．二次封じ込めナットは、少なくとも約３．０ｍｍ、又は、少なくとも約３．２５ｍｍ、又は、少なくとも約３．５ｍｍ、又は、少なくとも約３．７５ｍｍ、又は、少なくとも約４．０ｍｍ、又は、少なくとも約４．２５ｍｍ、又は、少なくとも約４．５０ｍｍ、又は、少なくとも約４．７５ｍｍ、又は、少なくとも約５．０ｍｍ、又は、少なくとも約５．２５ｍｍ、又は、少なくとも約５．５ｍｍ、又は、少なくとも約５．７５ｍｍ、又は、少なくとも約６．０ｍｍ、又は、少なくとも約６．２５ｍｍ、又は、少なくとも約６．５ｍｍ、又は、少なくとも約６．７５ｍｍ、又は、少なくとも約７．０ｍｍ、又は、少なくとも約７．２５ｍｍ、又は、少なくとも約７．５ｍｍ、又は、少なくとも約７．７５ｍｍ、又は、少なくとも約８．０ｍｍ、又は、少なくとも約８．２５ｍｍ、又は、少なくとも約８．５ｍｍ、又は、少なくとも約８．７５ｍｍ、又は、少なくとも約９．０ｍｍ、又は、少なくとも約９．２５ｍｍ、又は、少なくとも約９．５ｍｍ、又は、少なくとも約９．７５ｍｍ、又は、少なくとも約１０．０ｍｍの厚さを有する外壁を備える、実施例７６に記載の二重封じ込め継手又は二重封じ込め継手アセンブリ。
【０１４９】
実施例８２．二次封じ込めナットは、約２０ｍｍ以下、又は、約１９．７５ｍｍ以下、又は、約１９．５ｍｍ以下、又は、約１９．２５ｍｍ以下、又は、約１９．０ｍｍ以下、又は、約１８．７５ｍｍ以下、又は、約１８．５ｍｍ以下、又は、約１８．２５ｍｍ以下、又は、約１８．０ｍｍ以下、又は、約１７．７５ｍｍ以下、又は、約１７．５ｍｍ以下、又は、約１７．２５ｍｍ以下、又は、約１７．０ｍｍ以下、又は、約１６．７５ｍｍ以下、又は、約１６．５ｍｍ以下、又は、約１６．０ｍｍ以下、又は、約１５．７５ｍｍ以下、又は、約１５．５ｍｍ以下、又は、約１５．２５ｍｍ以下、又は、約１５．０ｍｍ以下、又は、約１４．７５ｍｍ以下、又は、約１４．５ｍｍ以下、又は、約１４．２５ｍｍ以下、又は、約１４．０ｍｍ以下の厚さを有する外壁を備える、実施例７６に記載の二重封じ込め継手又は二重封じ込め継手アセンブリ。
【０１５０】
実施例８３．二次封じ込めナットは、少なくとも約２０．０ｍｍ、又は、少なくとも約２１．０ｍｍ、又は、少なくとも約２２．０ｍｍ、又は、少なくとも約２３．０ｍｍ、又は、少なくとも約２４．０ｍｍ、又は、少なくとも約２５．０ｍｍ、又は、少なくとも約２６．０ｍｍ、又は、少なくとも約２７．０ｍｍ、又は、少なくとも約２８．０ｍｍ、又は、少なくとも約２９．０ｍｍ、又は、少なくとも約３０．０ｍｍの平均内径を含む、実施例７６に記載の二重封じ込め継手又は二重封じ込め継手アセンブリ。
【０１５１】
実施例８４．二次封じ込めナット部分は、約５０ｍｍ以下、又は、約４９ｍｍ以下、又は、約４８ｍｍ以下、又は、約４７ｍｍ以下、又は、約４６ｍｍ以下、又は、約４５ｍｍ以下、又は、約４４ｍｍ以下、又は、約４３ｍｍ以下、又は、約４２ｍｍ以下、又は、約４１ｍｍ以下、又は、約４０ｍｍ以下の平均内径を含む、実施例７６に記載の二重封じ込め継手又は二重封じ込め継手アセンブリ。
【０１５２】
実施例８５．二次封じ込めナット部分は、少なくとも約２０．０ｍｍ、又は、少なくとも約２１．０ｍｍ、又は、少なくとも約２２．０ｍｍ、又は、少なくとも約２３．０ｍｍ、又は、少なくとも約２４．０ｍｍ、又は、少なくとも約２５．０ｍｍ、又は、少なくとも約２６．０ｍｍ、又は、少なくとも約２７．０ｍｍ、又は、少なくとも約２８．０ｍｍ、又は、少なくとも約２９．０ｍｍ、又は、少なくとも約３０．０ｍｍの平均外径を含む、実施例７６に記載の二重封じ込め継手又は二重封じ込め継手アセンブリ。
【０１５３】
実施例８６．二次封じ込めナットは、約６０ｍｍ以下、又は、約５９ｍｍ以下、又は、約５８ｍｍ以下、又は、約５７ｍｍ以下、又は、約５６ｍｍ以下、又は、約５５ｍｍ以下、又は、約５４ｍｍ以下、又は、約５３ｍｍ以下、又は、約５２ｍｍ以下、又は、約５１ｍｍ以下、又は、約５０ｍｍ以下、又は、約４９ｍｍ以下、又は、約４８ｍｍ以下、又は、約４７ｍｍ以下、又は、約４６ｍｍ以下、又は、約４５ｍｍ以下、又は、約４４ｍｍ以下、又は、約４３ｍｍ以下、又は、約４２ｍｍ以下、又は、約４１ｍｍ以下、又は、約４０ｍｍ以下の平均外径を含む、実施例７６に記載の二重封じ込め継手又は二重封じ込め継手アセンブリ。
【０１５４】
一般的な説明又は実例において上述されているすべての活動が必要とされるとは限らないこと、特定の活動の一部分は必要とされない場合があること、及び、１つ又は複数のさらなる活動が、説明されているものに加えて実施されてもよいことに留意されたい。またさらに、活動が列挙されている順序は必ずしも、それらが実施される順序であるとは限らない。
【０１５５】
利益、他の利点、及び問題に対する解決策が、特定の実施例に関連して上述された。しかしながら、利益、利点、問題に対する解決策、及び、任意の利益、利点、若しくは解決策を生じさせるか又はより顕著にすることができる任意の特徴は、いずれか又はすべての請求項の重要な、必要とされる、又は必須の特徴として解釈されるべきではない。
【０１５６】
本明細書において記載されている実施例の明細及び図解は、様々な実施例の構造の一般的な理解を与えるように意図されている。明細及び図解は、本明細書において説明されている構造又は方法を使用する装置及びシステムのすべての要素及び特徴の徹底的且つ包括的な説明としての役割を果たすようには意図されていない。別個の実施例がまた、単一の実施例において組み合わされて提供されてもよく、逆に、簡潔にするために単一の実施例の文脈において説明されている様々な特徴がまた、別個に又は任意の部分組み合わせにおいて提供されてもよい。さらに、範囲内に記述されている値に対する参照は、その範囲内のあらゆる値を含む。多くの他の実施例が、本明細書を読んだ後でのみ、当業者に諒解され得る。本開示から他の実施例を使用及び導出することができ、結果、本開示の範囲から逸脱することなく、構造的置換、論理的置換、又は別の変更が行われてもよい。したがって、本開示は、限定的な意味ではなく、例示的な意味において考慮されるべきである。
【図１】
2021508020.tif 000003
【図２】
2021508020.tif 000004
【図３】
2021508020.tif 000005
【図４】
2021508020.tif 000006
【図５】
2021508020.tif 000007
【図６】
2021508020.tif 000008
【国際調査報告】
2021508020.tif 000009
2021508020.tif 000010